(57)【要約】  資源を処理するための方法、通信システム、およびモビリティ管理エンティティが、本発明の実施形態で開示される。この方法は、ユーザ装置ＵＥがパケット交換ドメインネットワークから回線交換ドメインネットワークに切り替わる間に、パケット交換ドメインネットワークのモビリティ管理エンティティは、パケット交換ドメインネットワークのアクセスネットワークにより送信される解放要求メッセージを受信するか、または回線交換ドメインネットワークにより送信されるハンドオーバ完了メッセージを受信し、次に、パケット交換ドメインネットワーク内のＵＥのための資源を処理し、それにより、ＵＥが、パケット交換ドメインネットワークから回線交換ドメインネットワークに切り替わるときに、パケット交換ドメインネットワーク内のＵＥのための資源の処理を達成することを含む。通信システム、およびモビリティ管理エンティティはまた、本発明の実施形態で開示される。
2011504715.tif 000002
【特許請求の範囲】
【請求項１】
資源を処理する方法であって、ユーザ装置（ＵＥ）がパケット交換（ＰＳ）ネットワークから回線交換（ＣＳ）ネットワークにハンドオーバされるときに、前記ＰＳネットワークのモビリティ管理ネットワーク構成要素が、前記ＰＳネットワークのアクセスネットワークにより送信される解放要求メッセージ、または前記ＣＳネットワークにより送信されるハンドオフ完了メッセージを受信するステップと、次に、前記ＰＳネットワーク内の前記ＵＥの資源を処理するステップとを含む方法。
【請求項２】
前記ＰＳネットワークの前記モビリティ管理ネットワーク構成要素が、前記ＰＳネットワークの前記アクセスネットワークにより送信される前記解放要求メッセージを受信する前記ステップの前に、
前記ＰＳネットワークの前記モビリティ管理ネットワーク構成要素により送信されるハンドオフ指示メッセージを受信した後に、前記ＰＳネットワークの前記アクセスネットワークが、前記解放要求メッセージを前記ＰＳネットワークの前記モビリティ管理ネットワーク構成要素に送信するステップ、
をさらに含む請求項１に記載の方法。
【請求項３】
前記ＰＳネットワークの前記モビリティ管理ネットワーク構成要素が、前記ＰＳネットワークの前記アクセスネットワークにより送信される前記解放要求メッセージを受信する前記ステップの前に、
前記ＵＥがハンドオフ指示メッセージを受信した後に前記ＵＥにより前記ＰＳネットワークの前記アクセスネットワークに送信される無線資源制御（ＲＲＣ）解放要求メッセージを受信した後に、前記ＰＳネットワークの前記アクセスネットワークが、前記解放要求メッセージを前記ＰＳネットワークの前記モビリティ管理ネットワーク構成要素に送信するステップ、
をさらに含む請求項１に記載の方法。
【請求項４】
前記ＵＥにより送信され、前記ＰＳネットワークの前記アクセスネットワークにより受信される前記ＲＲＣ解放要求メッセージは、前記ＵＥを前記ＣＳネットワークにハンドオーバすることにより前記ＲＲＣ解放要求が引き起こされたことを示す指示情報をさらに含む、請求項３に記載の方法。
【請求項５】
前記ＰＳネットワークの前記モビリティ管理ネットワーク構成要素により受信される前記解放要求メッセージは、前記ＵＥを前記ＣＳネットワークにハンドオーバすることにより前記解放要求が引き起こされたことを示す指示情報をさらに含み、前記ＰＳネットワークの前記モビリティ管理ネットワーク構成要素は、前記指示情報に従って、前記ＰＳネットワーク内の前記ＵＥの前記資源を処理する、請求項１〜４のいずれか一項に記載の方法。
【請求項６】
前記ＰＳネットワークの前記モビリティ管理ネットワーク構成要素が、前記ＣＳネットワークにより送信される前記ハンドオフ完了メッセージを受信する前記ステップは、
前記ＣＳネットワークと前記ＰＳネットワークの間のインタワーキングソリューション機能（ＩＷＳ）ネットワーク構成要素が前記ＣＳネットワークのアクセスネットワーク構成要素と統合されている場合、前記ＵＥにより送信される前記ハンドオフ完了メッセージを受信した後に、前記ＣＳネットワークの前記アクセスネットワーク構成要素により、前記ハンドオフ完了メッセージを前記ＰＳネットワークの前記モビリティ管理ネットワーク構成要素に送信するステップ、または
前記ＣＳネットワークと前記ＰＳネットワークの間の前記ＩＷＳネットワーク構成要素が前記ＰＳネットワークの前記モビリティ管理ネットワーク構成要素と統合されている場合、前記ＣＳネットワークのアクセスネットワークにより送信される前記ハンドオフ完了メッセージを受信した後に、前記ＣＳネットワークのモビリティ管理ネットワーク構成要素により、クリア指令メッセージを前記ＰＳネットワークの前記モビリティ管理ネットワーク構成要素に送信するステップ、または
前記ＣＳネットワークと前記ＰＳネットワークの間の前記ＩＷＳが独立したネットワーク構成要素である場合、前記ＣＳネットワークのアクセスネットワーク構成要素により送信される前記ハンドオフ完了メッセージを受信した後に、前記ＣＳネットワークのモビリティ管理ネットワーク構成要素により、クリア指令メッセージを前記ＩＷＳネットワーク構成要素に送信し、前記ＩＷＳネットワーク構成要素により、前記ハンドオフ完了メッセージを前記ＰＳネットワークの前記モビリティ管理ネットワーク構成要素に送信するステップ、または
前記ＣＳネットワークと前記ＰＳネットワークの間の前記ＩＷＳネットワーク構成要素が前記ＣＳネットワークのモビリティ管理ネットワーク構成要素と統合されている場合、前記ＣＳネットワークのアクセスネットワーク構成要素により送信される前記ハンドオフ完了メッセージを受信した後に、前記ＣＳネットワークの前記モビリティ管理ネットワーク構成要素により、前記ハンドオフ完了メッセージを前記ＰＳネットワークの前記モビリティ管理ネットワーク構成要素に送信するステップ、
を具体的に含む請求項１〜４のいずれか一項に記載の方法。
【請求項７】
前記ＰＳネットワークの前記モビリティ管理ネットワーク構成要素により、前記ＰＳネットワーク内の前記ＵＥの前記資源を処理する前記ステップは、
前記ＰＳネットワークの前記モビリティ管理ネットワーク構成要素により、暗黙のユーザ分離手順を開始して、前記ＵＥを前記ＰＳネットワークから切り離すステップ、または
前記ＰＳネットワークの前記モビリティ管理ネットワーク構成要素により、前記ＰＳネットワーク内の前記ＵＥのすべてのベアラを保持し、前記ベアラを中断するようサービングゲートウェイ（ＳＧＷ）に指示するステップ、または
前記ＰＳネットワークの前記モビリティ管理ネットワーク構成要素により、種々のベアラ種別に従って、ベアラの一部を削除し、かつベアラのその他の部分を中断するステップ、
を含む請求項１〜４のいずれか一項に記載の方法。
【請求項８】
前記ＰＳネットワークの前記モビリティ管理ネットワーク構成要素により、前記種々のベアラ種別に従って、前記ベアラの一部を削除し、かつベアラのその他の部分を中断する前記ステップは、
前記ＰＳネットワークの前記モビリティ管理ネットワーク構成要素により、前記種々のベアラ種別に従って、ベアラ削除手順を開始して前記ベアラの一部を削除し、かつベアラのその他の部分を保持し、前記保持されたベアラを中断するよう前記ＳＧＷに指示するステップ、または
前記ＰＳネットワークの前記モビリティ管理ネットワーク構成要素により、前記ＵＥのすべてのベアラを中断するよう前記ＳＧＷに指示し、前記ＰＳネットワークの前記モビリティ管理ネットワーク構成要素により、前記種々のベアラ種別に従って、前記ベアラの一部を保持し、かつベアラ削除手順を開始してベアラのその他の部分を削除するステップ、または
前記ＰＳネットワークの前記モビリティ管理ネットワーク構成要素により、前記種々のベアラ種別に従って、前記ベアラの一部を削除し、かつベアラのその他の部分を保持し、前記保持されたベアラを中断するよう前記ＳＧＷに指示し、前記ＳＧＷにより前記保持されたベアラを中断し、前記保持されていないベアラを削除するステップ、または
前記ＰＳネットワークの前記モビリティ管理ネットワーク構成要素により、前記種々のベアラ種別に従って、前記ベアラの一部を削除し、かつベアラのその他の部分を保持し、前記ＵＥのすべてのベアラを中断するよう前記ＳＧＷに指示するステップと、ベアラ中断メッセージを受信した後に、前記種々のベアラ種別に従って、前記ＳＧＷにより前記ベアラの一部を削除し、かつベアラのその他の部分を保持するステップ、または
前記ＰＳネットワークの前記モビリティ管理ネットワーク構成要素により、前記種々のベアラ種別に従って、前記ベアラの一部を削除し、かつベアラのその他の部分を保持し、前記保持されたベアラを中断し、かつ前記保持されていないベアラを削除するよう前記ＳＧＷに指示するステップ、
を含む請求項７に記載の方法。
【請求項９】
前記ＰＳネットワークの前記モビリティ管理ネットワーク構成要素により、前記ベアラを中断するよう前記ＳＧＷに指示する前記ステップは、
前記ＰＳネットワークの前記モビリティ管理ネットワーク構成要素により、中断されるべきベアラのＩＤおよび前記ベアラの状態を含み、前記ベアラの前記状態が「中断」に設定されるベアラ更新要求メッセージを、前記ＳＧＷに送信するステップ、または
前記ＰＳネットワークの前記モビリティ管理ネットワーク構成要素により、中断されるべきベアラのＩＤを含むベアラ中断要求メッセージを前記ＳＧＷに送信し、前記ベアラ中断要求メッセージを受信した後に、前記ＳＧＷにより前記ベアラの前記ＩＤに対応する前記ベアラの状態を「中断」に設定するステップ、または
前記ＰＳネットワークの前記モビリティ管理ネットワーク構成要素により、前記ＵＥのＩＤおよびベアラの状態を含み、前記ベアラの前記状態が「中断」に設定されるベアラ更新要求メッセージを、前記ＳＧＷに送信し、前記ＳＧＷにより前記ＵＥのすべてのベアラの前記状態を「中断」に設定するステップ、または
前記ＰＳネットワークの前記モビリティ管理ネットワーク構成要素により、前記ＵＥのＩＤを含むベアラ中断要求メッセージを前記ＳＧＷに送信し、前記ベアラ中断要求メッセージを受信した後に、前記ＳＧＷにより前記ＵＥのすべてのベアラの状態を「中断」に設定するステップ、
を含む請求項７に記載の方法。
【請求項１０】
前記ＰＳネットワークの前記モビリティ管理ネットワーク構成要素により、前記保持されたベアラを中断し、かつ前記保持されていないベアラを削除するよう前記ＳＧＷに指示する前記ステップは、
前記ＰＳネットワークの前記モビリティ管理ネットワーク構成要素により、前記ベアラの状態だけでなく、中断されるべきベアラのＩＤおよび削除されるべきベアラのＩＤを含み、中断されるべき前記ベアラの前記状態が「中断」に設定され、削除されるべき前記ベアラの前記状態が「削除」に設定されるベアラ更新要求メッセージを、前記ＳＧＷに送信するステップ、または
前記ＰＳネットワークの前記モビリティ管理ネットワーク構成要素により、中断されるべきベアラのＩＤからなる中断リスト、および削除されるべきベアラのＩＤからなる削除リストを含むベアラ更新要求メッセージを、前記ＳＧＷに送信するステップ、または
前記ＰＳネットワークの前記モビリティ管理ネットワーク構成要素により、中断されるべきベアラのＩＤからなる中断リスト、および削除されるべきベアラのＩＤからなる削除リストを含むベアラ中断要求メッセージを、前記ＳＧＷに送信するステップ、または
前記ＰＳネットワークの前記モビリティ管理ネットワーク構成要素により、前記ＵＥのＩＤ、および削除されるべきベアラのＩＤからなる削除リストを含むベアラ中断要求メッセージを前記ＳＧＷに送信するステップ、
を含む請求項８に記載の方法。
【請求項１１】
パケット交換（ＰＳ）ネットワークのモビリティ管理ネットワーク構成要素（１０１）と、前記ＰＳネットワークのアクセスネットワーク（１０３）とを含む通信システムであって、ユーザ装置（ＵＥ）が前記ＰＳネットワークから回線交換（ＣＳ）ネットワークにハンドオーバされるときに、前記ＰＳネットワークの前記アクセスネットワークは、解放要求メッセージを前記ＰＳネットワークの前記モビリティ管理ネットワーク構成要素に送信するように適合され、前記ＰＳネットワークの前記モビリティ管理ネットワーク構成要素は、前記ＰＳネットワークの前記アクセスネットワークにより送信される前記解放要求メッセージを受信し、かつ前記ＰＳネットワーク内の前記ＵＥの資源を処理するように適合されている通信システム。
【請求項１２】
前記ＰＳネットワークの前記アクセスネットワークは、前記ＰＳネットワークの前記モビリティ管理ネットワーク構成要素により送信されるハンドオフ指示メッセージを受信した後に、前記解放要求メッセージを前記ＰＳネットワークの前記モビリティ管理ネットワーク構成要素に送信する、請求項１１に記載の通信システム。
【請求項１３】
前記ＰＳネットワークの前記アクセスネットワークは、前記ＵＥにより送信される無線資源制御（ＲＲＣ）解放要求メッセージを受信した後に、前記解放要求メッセージを前記ＰＳネットワークの前記モビリティ管理ネットワーク構成要素に送信し、前記ＵＥがハンドオフ指示メッセージを受信した後に、前記ＲＲＣ解放要求メッセージが、前記ＵＥにより前記ＰＳネットワークの前記アクセスネットワークに送信される、請求項１１に記載の通信システム。
【請求項１４】
前記ＰＳネットワークの前記アクセスネットワークは、前記ＰＳネットワークの前記モビリティ管理ネットワーク構成要素に送信される前記解放要求メッセージで指示情報を運ぶようにさらに適合され、前記指示情報は、前記ＵＥを前記ＣＳネットワークにハンドオーバすることにより前記解放要求が引き起こされたことを示す、請求項１１、１２、または１３に記載の通信システム。
【請求項１５】
パケット交換（ＰＳ）ネットワークのモビリティ管理ネットワーク構成要素（１１１）と、回線交換（ＣＳ）ネットワーク（１１３）とを含む通信システムであって、ユーザ装置（ＵＥ）が前記ＰＳネットワークから前記ＣＳネットワークにハンドオーバされるときに、前記ＣＳネットワークは、ハンドオフ完了メッセージを前記ＰＳネットワークの前記モビリティ管理ネットワーク構成要素に送信するように適合され、前記ＰＳネットワークの前記モビリティ管理ネットワーク構成要素は、前記ＣＳネットワークにより送信される前記ハンドオフ完了メッセージを受信し、かつ前記ハンドオフ完了メッセージを受信した後に、前記ＰＳネットワーク内の前記ＵＥの資源を処理するように適合された通信システム。
【請求項１６】
前記ＣＳネットワークと前記ＰＳネットワークの間のインタワーキングソリューション機能（ＩＷＳ）ネットワーク構成要素をさらに含み、前記ＣＳネットワークは、アクセスネットワーク構成要素と、モビリティ管理ネットワーク構成要素とを含み、
前記ＩＷＳネットワーク構成要素が前記ＣＳネットワークの前記アクセスネットワーク構成要素と統合されている場合、前記ＣＳネットワークの前記アクセスネットワーク構成要素は、前記ＵＥにより送信される前記ハンドオフ完了メッセージを受信した後に、前記ハンドオフ完了メッセージを前記ＰＳネットワークの前記モビリティ管理ネットワーク構成要素に送信するように適合されている、または
前記ＩＷＳネットワーク構成要素が前記ＰＳネットワークの前記モビリティ管理ネットワーク構成要素と統合されている場合、前記ＣＳネットワークの前記アクセスネットワーク構成要素は、前記ハンドオフ完了メッセージを前記ＣＳネットワークの前記モビリティ管理ネットワーク構成要素に送信するように適合され、前記ＣＳネットワークの前記モビリティ管理ネットワーク構成要素は、前記ＣＳネットワークの前記アクセスネットワーク構成要素により送信される前記ハンドオフ完了メッセージを受信した後に、クリア指令メッセージを前記ＰＳネットワークの前記モビリティ管理ネットワーク構成要素に送信するように適合されている、または
前記ＣＳネットワークと前記ＰＳネットワークの間の前記ＩＷＳが独立したネットワーク構成要素である場合、前記ＣＳネットワークの前記アクセスネットワーク構成要素は、前記ハンドオフ完了メッセージを前記ＣＳネットワークの前記モビリティ管理ネットワーク構成要素に送信するように適合され、前記ＣＳネットワークの前記モビリティ管理ネットワーク構成要素は、前記ＣＳネットワークの前記アクセスネットワーク構成要素により送信される前記ハンドオフ完了メッセージを受信した後に、クリア指令メッセージを前記ＩＷＳネットワーク構成要素に送信するように適合され、前記ＩＷＳネットワーク構成要素は、前記ＣＳネットワークの前記モビリティ管理ネットワーク構成要素により送信される前記クリア指令メッセージを受信した後に、前記ハンドオフ完了メッセージを前記ＰＳネットワークの前記モビリティ管理ネットワーク構成要素に送信するように適合されている、または
前記ＩＷＳネットワーク構成要素が前記ＣＳネットワークの前記モビリティ管理ネットワーク構成要素と統合されている場合、前記ＣＳネットワークの前記モビリティ管理ネットワーク構成要素は、前記ＣＳネットワークの前記アクセスネットワーク構成要素により送信される前記ハンドオフ完了メッセージを受信した後に、前記ハンドオフ完了メッセージを前記ＰＳネットワークの前記モビリティ管理ネットワーク構成要素に送信するように適合されている、
請求項１５に記載の通信システム。
【請求項１７】
パケット交換（ＰＳ）ネットワーク内のモビリティ管理ネットワーク構成要素であって、受信ユニット（１２１）と、資源処理ユニット（１２３）とを含み、前記受信ユニットは、ユーザ装置（ＵＥ）が前記ＰＳネットワークから回線交換（ＣＳ）ネットワークにハンドオーバされるときに、前記ＰＳネットワークのアクセスネットワークにより送信される解放要求メッセージまたは前記ＣＳネットワークにより送信されるハンドオフ完了メッセージを受信するように適合され、前記資源処理ユニットは、前記ＰＳネットワークの前記アクセスネットワークにより送信される前記解放要求メッセージ、または前記ＣＳネットワークにより送信される前記ハンドオフ完了メッセージを前記受信ユニットが受信した後に、前記ＰＳネットワーク内の前記ＵＥの資源を処理するように適合された、
モビリティ管理ネットワーク構成要素。
【請求項１８】
前記受信ユニット（１２１）は第１の受信モジュール（１２１１）および／または第２の受信モジュール（１２１３）を含み、
前記第１の受信モジュールは、前記ＵＥが前記ＰＳネットワークから前記ＣＳネットワークにハンドオーバされるときに、前記ＰＳネットワークの前記アクセスネットワークにより送信される、前記ＵＥを前記ＣＳネットワークにハンドオーバすることにより前記解放要求が引き起こされたことを示す指示情報を含む前記解放要求メッセージを、受信するように適合され、ならびに
前記第２の受信モジュールは、前記ＵＥが前記ＰＳネットワークから前記ＣＳネットワークにハンドオーバされるときに、前記ＣＳネットワークにより送信される前記ハンドオフ完了メッセージを受信するように適合され、
前記ＣＳネットワークと前記ＰＳネットワークの間のインタワーキングソリューション機能（ＩＷＳ）ネットワーク構成要素が前記ＣＳネットワークのアクセスネットワーク構成要素と統合されている場合、前記第２の受信モジュールは、前記ＣＳネットワークの前記アクセスネットワーク構成要素により送信される前記ハンドオフ完了メッセージを受信するように適合されている、または
前記ＣＳネットワークと前記ＰＳネットワークの間の前記ＩＷＳネットワーク構成要素が前記ＰＳネットワークの前記モビリティ管理ネットワーク構成要素と統合されている場合、前記第２の受信モジュールは、前記ＣＳネットワークのモビリティ管理ネットワーク構成要素により送信されるクリア指令メッセージを受信するように適合されている、または
前記ＣＳネットワークと前記ＰＳネットワークの間の前記ＩＷＳネットワーク構成要素が独立したネットワーク構成要素である場合、前記第２の受信モジュールは、前記ＩＷＳネットワーク構成要素により送信される前記ハンドオフ完了メッセージを受信するように適合されており、前記ＩＷＳネットワーク構成要素は、前記ＣＳネットワークのモビリティ管理ネットワーク構成要素により送信されるクリア指令メッセージを受信した後に、前記ハンドオフ完了メッセージを前記第２の受信モジュールに送信する、または
前記ＣＳネットワークと前記ＰＳネットワークの間の前記ＩＷＳネットワーク構成要素が前記ＣＳネットワークのモビリティ管理ネットワーク構成要素と統合されている場合、前記第２の受信モジュール（１２１３）は、前記ＣＳネットワークの前記モビリティ管理ネットワーク構成要素により送信される前記ハンドオフ完了メッセージを受信するように適合されている、
請求項１７に記載のモビリティ管理ネットワーク構成要素。
【請求項１９】
前記資源処理ユニット（１２３）は、
暗黙のユーザ分離手順を開始して、前記ＵＥを前記ＰＳネットワークから切り離すように適合された第１の資源処理モジュール（１２３１）と、
前記ＰＳネットワーク内の前記ＵＥのすべてのベアラを保持し、かつ前記ベアラを中断するようサービングゲートウェイ（ＳＧＷ）に指示するように適合された第２の資源処理モジュール（１２３３）と、
１つまたは複数のベアラ削除手順を開始して、前記種々のベアラ種別に従って、前記ベアラ種別の一部に対応するベアラを削除しその他のベアラ種別に対応するベアラを保持し、かつ前記保持されたベアラを中断するよう前記ＳＧＷに指示するように適合された第３の資源処理モジュール（１２３５）と、
前記種々のベアラ種別に従って、前記ベアラの一部を削除しベアラのその他の部分を保持し、かつ前記保持されたベアラを中断するよう前記ＳＧＷに指示するように適合された第４の資源処理モジュールと、
前記ＵＥのすべてのベアラを中断するよう前記ＳＧＷに指示し、かつ種々のベアラ種別に従って、前記ベアラの一部を保持しベアラ削除手順を開始してベアラのその他の部分を削除するように適合された第５の資源処理モジュールと、
前記ＵＥのすべてのベアラを中断するよう前記ＳＧＷに指示し、かつ前記種々のベアラ種別に従って、前記ベアラの一部を削除しベアラのその他の部分を保持するように適合された第６の資源処理モジュールと、
前記種々のベアラ種別に従って、前記ベアラの一部を削除しベアラのその他の部分を保持し、かつ前記保持されたベアラを中断し前記保持されていないベアラを削除するよう前記ＳＧＷに指示するように適合された第７の資源処理モジュール
のうちの少なくとも１つのモジュールを具体的に含む、請求項１７に記載のモビリティ管理ネットワーク構成要素。
【請求項２０】
前記資源処理ユニット（１２３）は、第１のベアラ中断モジュール（１２３７）と、第２のベアラ中断モジュール（１２３９）と、第３のベアラ中断モジュール（１２４１）と、第４のベアラ中断モジュール（１２４３）のうちの少なくとも１つのモジュールとをさらに含み、前記第２の資源処理モジュール、前記第３の資源処理モジュール、または前記第４の資源処理モジュールは、中断されるべきベアラのＩＤを前記第１のベアラ中断モジュールまたは前記第２のベアラ中断モジュールに送信する、もしくは前記第２の資源処理モジュール、前記第５の資源処理モジュール、または前記第６の資源処理モジュールは、前記ＵＥのＩＤを前記第３のベアラ中断モジュール、または前記第４のベアラ中断モジュールに送信し、
前記第１のベアラ中断モジュールは、中断されるべきベアラのＩＤを受信し、かつ中断されるべき前記ベアラの前記ＩＤおよび前記ベアラの状態を含み、前記ベアラの前記状態が「中断」に設定されたベアラ更新要求メッセージを、前記ＳＧＷに送信するように適合され、
前記第２のベアラ中断モジュールは、中断されるべき前記ベアラの前記ＩＤを受信し、かつ、中断されるべき前記ベアラの前記ＩＤを含み、前記ベアラの前記ＩＤに対応する前記ベアラの前記状態を「中断」に設定するよう前記ＳＧＷに指示するように適合されたベアラ中断要求メッセージを、前記ＳＧＷに送信するように適合され、
第３のベアラ中断モジュールは、中断されるべき前記ＵＥの前記ＩＤを受信し、かつ、前記ＵＥの前記ＩＤおよびベアラの状態を含み、前記ベアラの前記状態が「中断」に設定され、前記ＵＥのすべてのベアラの状態を「中断」に設定するよう前記ＳＧＷに指示するように適合されたベアラ更新要求メッセージを、前記ＳＧＷに送信するように適合され、
前記第４のベアラ中断モジュールは、中断されるべき前記ＵＥの前記ＩＤを受信し、かつ、前記ＵＥの前記ＩＤを含み、前記ＵＥのすべてのベアラの前記状態を「中断」に設定するよう前記ＳＧＷに指示するように適合されたベアラ中断要求メッセージを、前記ＳＧＷに送信するように適合されている、
請求項１９に記載のモビリティ管理ネットワーク構成要素。
【請求項２１】
前記第７の資源処理モジュールは、
前記ベアラの状態だけでなく、中断されるべきベアラのＩＤおよび削除されるべきベアラのＩＤ、中断されるべき前記ベアラの前記状態が「中断」に設定され、削除されるべき前記ベアラの前記状態が「削除」に設定されるベアラ更新要求メッセージを、前記ＳＧＷに送信するように適合された第１の処理サブユニットと、
中断されるべきベアラのＩＤからなる中断リスト、および中断されるべきベアラのＩＤからなる削除リストを含むベアラ更新要求メッセージを、前記ＳＧＷに送信するように適合された第２の処理サブユニットと、
中断されるべきベアラのＩＤからなる中断リスト、および削除されるべきベアラのＩＤからなる削除リストを含むベアラ中断要求メッセージを、前記ＳＧＷに送信するように適合された第３の処理サブユニットと、
前記ＵＥの前記ＩＤ、および削除されるべきベアラのＩＤからなる削除リストを運ぶベアラ中断要求メッセージを、前記ＳＧＷに送信するように適合された第４の処理サブユニットと、
のうちの少なくとも１つのサブユニットを含む、請求項１９に記載のモビリティ管理ネットワーク構成要素。
【発明の詳細な説明】
【技術分野】
【０００１】
本出願は、参照により本明細書に全体が組み込まれる、２００８年４月３０日に出願された「通信システム、モビリティ管理ネットワーク構成要素、資源を処理する方法」と題する中国特許出願第２００８１００６７０４４．０号、および２００８年１２月１７日に出願された「通信システム、モビリティ管理ネットワーク構成要素、資源を処理する方法」と題する中国特許出願第２００８１０１８８４４７．０号の優先権の利益を主張する。
【０００２】
本発明は、通信技術の分野に関し、より詳細には資源を処理する方法、通信システム、およびモビリティ管理ネットワーク構成要素に関する。
【背景技術】
【０００３】
図１は、従来技術での、第３世代パートナーシッププロジェクト（３ＧＰＰ）パケット交換（ＰＳ）ネットワークと、符号分割多重アクセス（ＣＤＭＡ）ネットワークにおけるＣＤＭＡ２０００  １ｘネットワークとのインタワーキングアーキテクチャを示す。図１を参照すると、このアーキテクチャは、発展型（ｅｖｏｌｖｅｄ）ネットワークのすべての無線関連機能を実装するように適合されたＥ−ＵＴＲＡＮ（ｅｖｏｌｖｅｄ ＵＭＴＳ  ｔｅｒｒｅｓｔｒｉａｌ  ｒａｄｉｏ  ａｃｃｅｓｓ  ｎｅｔｗｏｒｋ）と、仮ユーザＩＤの割当だけでなくユーザコンテキスト管理およびモビリティ状態管理を含む、制御プレーンのモビリティ管理の役割を担うモビリティ管理エンティティ（ＭＭＥ）と、３ＧＰＰアクセスネットワーク間のユーザ・プレーン・アンカー・ポイントであり、Ｅ−ＵＴＲＡＮのインタフェースを終端するように適合されたサービングゲートウェイ（ＳＧＷ）と、３ＧＰＰアクセスネットワークと非３ＧＰＰアクセスネットワークの間のユーザ・プレーン・アンカー・ポイントであり、外部のパケット・データ・ネットワーク（ＰＤＮ）とのインタフェースを終端するように適合されたパケット・データ・ネットワーク・ゲートウェイ（ＰＧＷ）とを含む。
【０００４】
ＵＭＴＳ地上波無線アクセスネットワーク（ＵＴＲＡＮ）およびＧＳＭ／ＥＤＧＥ無線アクセスネットワーク（ＧＥＲＡＮ）が、既存のＧＰＲＳ／ＵＭＴＳネットワーク内のすべての無線関連機能を実装するように適合されている。ＳＧＳＮ（ｓｅｒｖｉｎｇ  ＧＰＲＳ  ｓｕｐｐｏｒｔｉｎｇ  ｎｏｄｅ）が、ＧＰＲＳ／ＵＭＴＳネットワーク内のルーティングおよび転送、モビリティ管理、セッション管理、ユーザ情報記憶、ならびに他の機能を実装するように適合されている。
【０００５】
１ｘ回線交換（ＣＳ）ドメイン・アクセス・ネットワークが、ＣＤＭＡ２０００  １ｘネットワーク内の無線関連機能を実装するように適合されている。１ｘ  ＣＳ移動交換局（ＭＳＣ）が主に、移動ユーザのためのモビリティ管理および交換機能を提供し、かつ携帯電話ユーザと固定電話ユーザの間だけでなく、携帯電話ユーザ間のインタワーキング（網間接続）も実現するように適合されている。１ｘ  ＣＳ  ＭＳＣからの１ｘ  ＣＳシグナリングをカプセル化し、３ＧＰＰ  ＰＳネットワークを介して、カプセル化された１ｘ  ＣＳシグナリングをユーザ装置（ＵＥ）に送信するために、インタワーキングソリューション機能（ＩＷＳ）が、１ｘ  ＣＳシグナリングを交換および転送する機能を実装するように適合されている。または、ＵＥが、３ＧＰＰ  ＰＳネットワークを介して、カプセル化された１ｘ  ＣＳシグナリングをＩＷＳに送信し、ＩＷＳが、カプセル化された１ｘ  ＣＳシグナリングを１ｘ  ＣＳ  ＭＳＣに転送する。ＩＷＳはまた、１ｘ  ＣＳ  ＩＷＳとも呼ばれている。
【０００６】
３ＧＰＰ  ＰＳネットワークと元のＣＳネットワークの間のインタワーキングを保証するために、３ＧＰＰ  ＰＳネットワーク内のＶｏＩＰ（ｖｏｉｃｅ  ｏｖｅｒ  ＩＰ）サービスをＣＤＭＡ２０００  １ｘネットワークにハンドオーバする技術が、従来技術で提案されてきた。図２は、従来技術における、ＵＥのＶｏＩＰサービスを３ＧＰＰ  ＰＳネットワークからＣＤＭＡ２０００  １ｘネットワークにハンドオーバする手順を示すシグナリングの流れ図である。図２を参照すると、この手順は以下のとおりである。
【０００７】
１．  ＶｏＩＰセッションが３ＧＰＰ  ＰＳネットワーク内に存在する。
【０００８】
２．  ３ＧＰＰ  ＰＳネットワークのアクセスネットワークが、ＣＤＭＡ２０００  １ｘにハンドオーバする判断をする。３ＧＰＰ  ＰＳネットワークのアクセスネットワークは、Ｅ−ＵＴＲＡＮでも、ＧＥＲＡＮでも、ＵＴＲＡＮでもよい。
【０００９】
３．  ３ＧＰＰ  ＰＳネットワークのアクセスネットワークが、再配置指示を送信して、システム間ハンドオーバを実行するようＵＥに通知する。
【００１０】
４．  ＵＥが、３ＧＰＰ  ＰＳネットワークを介して１ｘ発信（Ｏｒｉｇｉｎａｔｉｏｎ）メッセージを１ｘ  ＣＳ  ＩＷＳに送信する。すなわち、ＵＥが、１ｘ発信メッセージを３ＧＰＰ  ＰＳネットワークのアクセスネットワークに送信し、３ＧＰＰ  ＰＳネットワークのアクセスネットワークが、１ｘ発信メッセージをアップリンクＣＤＭＡ２０００トンネル（Ｕｐｌｉｎｋ  ＣＤＭＡ２０００  Ｔｕｎｎｅｌ）メッセージにカプセル化し、アップリンクＣＤＭＡ２０００トンネルメッセージを３ＧＰＰ  ＰＳネットワークのモビリティ管理ネットワーク構成要素に送信する。ＧＥＲＡＮ／ＵＴＲＡＮネットワークでは、３ＧＰＰ  ＰＳネットワークのモビリティ管理ネットワーク構成要素が、ＳＧＳＮである。そして、Ｅ−ＵＴＲＡＮでは、３ＧＰＰ  ＰＳネットワークのモビリティ管理ネットワーク構成要素が、ＭＭＥである。アップリンクＣＤＭＡ２０００トンネルメッセージを受信した後に、３ＧＰＰ  ＰＳネットワークのモビリティ管理ネットワーク構成要素が、アップリンクＣＤＭＡ２０００トンネルメッセージから１ｘ発信メッセージを得て、１ｘ発信メッセージを１ｘ  ＣＳ  ＩＷＳに送信する。
【００１１】
５．  ＩＷＳが、ＣＭサービス要求メッセージを１ｘ  ＣＳ  ＭＳＣに送信する。
【００１２】
６．  ＭＳＣが、割当要求メッセージをＩＷＳに送信する。
【００１３】
７．  ＩＷＳが、３ＧＰＰ  ＰＳネットワークを介してハンドオフ指示メッセージをＵＥに送信する。すなわち、ＩＷＳがハンドオフ指示メッセージを３ＧＰＰ  ＰＳネットワークのモビリティ管理ネットワーク構成要素に送信する。３ＧＰＰ  ＰＳネットワークのモビリティ管理ネットワーク構成要素が、ダウンリンクＣＤＭＡ２０００トンネル（Ｄｏｗｎｌｉｎｋ  ＣＤＭＡ２０００  Ｔｕｎｎｅｌ）メッセージ（ハンドオフ指示メッセージが、このメッセージ中にカプセル化されている）を３ＧＰＰ  ＰＳネットワークのアクセスネットワークに送信する。それから、３ＧＰＰ  ＰＳネットワークのアクセスネットワークが、ハンドオフ指示メッセージをＵＥに転送する。
【００１４】
８．  ＵＥがＣＤＭＡ  １ｘネットワークにハンドオーバされ、トラフィックチャネル獲得（ＴＣＣ）手順が実行されて、トラフィックチャネルを得る。
【００１５】
９．  ＵＥが、１ｘハンドオフ完了メッセージをＣＤＭＡ２０００  １ｘアクセスネットワークに送信する。
【００１６】
１０．  ＣＤＭＡ２０００  １ｘアクセスネットワークが、ハンドオフ完了メッセージ、または割当完了メッセージをＭＳＣに送信する。
【００１７】
１１．  音声呼が、ＣＤＭＡ２０００  １ｘネットワーク内で確立される。
【発明の概要】
【発明が解決しようとする課題】
【００１８】
上記の手順から、３ＧＰＰ  ＰＳネットワークからＣＤＭＡ２０００  １ｘネットワークへのハンドオーバのための現在の仕組みでは、ＵＥが３ＧＰＰ  ＰＳネットワークからＣＤＭＡ２０００  １ｘネットワークにハンドオーバされるときに、ＵＥに関連する、ＰＳネットワーク内の資源を処理する仕組みがないことが知られている。さらに、ＵＥが、ＰＳネットワークから、ＣＤＭＡ２０００  １ｘネットワークに類似の他のＣＳネットワークにハンドオーバされるときにも、同じ問題が発生する。
【課題を解決するための手段】
【００１９】
したがって、本発明の一実施形態は、ＵＥがＰＳネットワークからＣＳネットワークにハンドオーバされるときにＰＳネットワーク内のＵＥの資源を処理するために、資源を処理する方法を提供する。その方法は以下のとおりである。
【００２０】
ＵＥがＰＳネットワークからＣＳネットワークにハンドオーバされるときに、ＰＳネットワーク内のモビリティ管理ネットワーク構成要素が、ＰＳネットワークのアクセスネットワークにより送信される解放要求メッセージ、またはＣＳネットワークにより送信されるハンドオフ完了メッセージを受信し、次に、ＰＳネットワーク内のＵＥの資源を処理する。
【００２１】
本発明の実施形態により提供される資源処理方法により、ＰＳネットワークのモビリティ管理ネットワーク構成要素が、ＰＳネットワークのアクセスネットワークにより送信される解放要求メッセージ、またはＣＳネットワークにより送信されるハンドオフ完了メッセージを受信すると、ＰＳネットワーク内のＵＥの資源の処理を開始し、その結果、ＵＥがＰＳネットワークからＣＳネットワークにハンドオーバされるときに、ＰＳネットワーク内のＵＥの資源の処理が達成される。
【００２２】
本発明の一実施形態は、ＵＥがＰＳネットワークからＣＳネットワークにハンドオーバされるときにＰＳネットワーク内のＵＥの資源を処理する、通信システムをさらに提供する。
【００２３】
この通信システムは、ＰＳネットワークのモビリティ管理ネットワーク構成要素、およびＰＳネットワークのアクセスネットワークを含み、ＵＥがＰＳネットワークからＣＳネットワークにハンドオーバされるときに、ＰＳネットワークのアクセスネットワークが、解放要求メッセージをＰＳネットワークのモビリティ管理ネットワーク構成要素に送信するように適合され、ＰＳネットワークのモビリティ管理ネットワーク構成要素が、ＰＳネットワークのアクセスネットワークにより送信される解放要求メッセージを受信し、かつＰＳネットワーク内のＵＥの資源を処理するように適合されている。
【００２４】
本発明の実施形態により提供される通信システムにより、ＰＳネットワークのアクセスネットワークが、解放要求メッセージをＰＳネットワークのモビリティ管理ネットワーク構成要素に送信し、ＰＳネットワークのモビリティ管理ネットワーク構成要素が、ＰＳネットワークのアクセスネットワークにより送信される解放要求メッセージを受信すると、ＰＳネットワーク内のＵＥの資源の処理を開始し、その結果、ＵＥがＰＳネットワークからＣＳネットワークにハンドオーバされたときに、ＰＳネットワーク内のＵＥの資源の処理が達成される。
【００２５】
本発明の一実施形態は、ＵＥがＰＳネットワークからＣＳネットワークにハンドオーバされるときにＰＳネットワーク内のＵＥの資源を処理する、別の通信システムをさらに提供する。
【００２６】
この通信システムは、ＰＳネットワークのモビリティ管理ネットワーク構成要素、およびＣＳネットワークを含む。ＵＥがＰＳネットワークからＣＳネットワークにハンドオーバされるとき、ＣＳネットワークが、ハンドオフ完了メッセージをＰＳネットワークのモビリティ管理ネットワーク構成要素に送信するように適合されている。そして、ＰＳネットワークのモビリティ管理ネットワーク構成要素が、ＣＳネットワークにより送信されるハンドオフ完了メッセージを受信し、かつハンドオフ完了メッセージを受信した後に、ＰＳネットワーク内のＵＥの資源を処理するように適合されている。
【００２７】
本発明の実施形態により提供される通信システムにより、ＣＳネットワークが、ハンドオフ完了メッセージをＰＳネットワークのモビリティ管理ネットワーク構成要素に送信し、ＰＳネットワークのモビリティ管理ネットワーク構成要素が、ＣＳネットワークにより送信されるハンドオフ完了メッセージを受信すると、ＰＳネットワーク内のＵＥの資源の処理を開始し、その結果、ＵＥがＰＳネットワークからＣＳネットワークにハンドオーバされるときに、ＰＳネットワーク内のＵＥの資源の処理が達成される。
【００２８】
本発明の一実施形態は、ＵＥがＰＳネットワークからＣＳネットワークにハンドオーバされるときにＰＳネットワーク内のＵＥの資源を処理するために、ＰＳネットワーク内のモビリティ管理ネットワーク構成要素をさらに提供する。
【００２９】
このモビリティ管理ネットワーク構成要素は、受信ユニット、および資源管理ユニットを含む。受信ユニットは、ＵＥがＰＳネットワークからＣＳネットワークにハンドオーバされるときに、ＰＳネットワークのアクセスネットワークにより送信される解放要求メッセージ、またはＣＳネットワークにより送信されるハンドオフ完了メッセージを受信するように適合されている。資源処理ユニットは、受信ユニットが、ＰＳネットワークのアクセスネットワークにより送信される解放要求メッセージ、またはＣＳネットワークにより送信されるハンドオフ完了メッセージを受信した後に、ＰＳネットワーク内のＵＥの資源を処理するように適合されている。
【００３０】
本発明の実施形態により提供されるモビリティ管理ネットワーク構成要素により、ＵＥがＰＳネットワークからＣＳネットワークにハンドオーバされるときに、受信ユニットが、ＰＳネットワークのアクセスネットワークにより送信される解放要求メッセージ、またはＣＳネットワークにより送信されるハンドオフ完了メッセージを受信し、受信ユニットがＰＳネットワークのアクセスネットワークにより送信される解放要求メッセージ、またはＣＳネットワークにより送信されるハンドオフ完了メッセージを受信した後に、資源処理ユニットがＰＳネットワーク内のＵＥの資源の処理を開始し、その結果、ＵＥがＰＳネットワークからＣＳネットワークにハンドオーバされるときに、ＰＳネットワーク内のＵＥの資源の処理が達成される。
【図面の簡単な説明】
【００３１】
【図１】従来技術でのＣＤＭＡネットワークにおける、３ＧＰＰ  ＰＳネットワークとＣＤＭＡ２０００  １ｘネットワークのインタワーキングのアーキテクチャを示す図である。
【図２】従来技術での、ＵＥのＶｏＩＰサービスを３ＧＰＰ  ＰＳネットワークからＣＤＭＡ２０００  １ｘネットワークにハンドオーバするための手順を示すシグナリングの流れ図である。
【図３】本発明の一実施形態による資源処理方法の流れ図である。
【図４】本発明の別の実施形態による別の資源処理方法の流れ図である。
【図５】本発明のさらに別の実施形態による別の資源処理方法の流れ図である。
【図６】本発明のさらに別の実施形態による別の資源処理方法の流れ図である。
【図７】本発明の一実施形態による、ＵＥがＰＳネットワークからＣＤＭＡ２０００  １ｘネットワークにハンドオーバされるときの資源処理方法を示すシグナリングの流れ図である。
【図８】本発明の別の実施形態による、ＵＥがＰＳネットワークからＣＤＭＡ２０００  １ｘネットワークにハンドオーバされるときの資源処理方法を示すシグナリングの流れ図である。
【図９】本発明のさらに別の実施形態による、ＵＥがＰＳネットワークからＣＤＭＡ２０００  １ｘネットワークにハンドオーバされるときの資源処理方法を示すシグナリングの流れ図である。
【図１０】本発明の一実施形態による通信システムの構造図である。
【図１１】本発明の別の実施形態による通信システムの構造図である。
【図１２】本発明の一実施形態による、ＰＳネットワーク内のモビリティ管理ネットワーク構成要素の構造図である。
【図１３】本発明の別の実施形態による、ＰＳネットワーク内のモビリティ管理ネットワーク構成要素の構造図である。
【発明を実施するための形態】
【００３２】
本発明の実施形態において、ＧＥＲＡＮ／ＵＴＲＡＮネットワークでは、ＰＳネットワークのモビリティ管理ネットワーク構成要素が、ＳＧＳＮのことがある。そして、Ｅ−ＵＴＲＡＮでは、ＰＳネットワークのモビリティ管理ネットワーク構成要素が、ＭＭＥである。
【００３３】
本発明の実施形態では、ＵＥがＰＳネットワークからハンドオーバされる先のＣＳネットワークが、ＣＤＭＡ２０００  １ｘネットワークでも、ＧＳＭネットワークでも、他のＣＳネットワークでもよい。
【００３４】
図３は、本発明の一実施形態による資源処理方法の流れ図である。図３を参照すると、この方法は以下のとおりである。
【００３５】
ステップ３１で、ＵＥがＰＳネットワークからＣＳネットワークにハンドオーバされるとき、ＰＳネットワークのモビリティ管理ネットワーク構成要素が、ＰＳネットワークのアクセスネットワークにより送信される解放要求メッセージを受信する。
【００３６】
ステップ３２で、ＰＳネットワークのモビリティ管理ネットワーク構成要素が、ＰＳネットワーク内のＵＥの資源を処理する。
【００３７】
図４は、本発明の別の実施形態による資源処理方法の流れ図である。図４を参照すると、この方法は以下のとおりである。
【００３８】
ステップ４１で、ＰＳネットワーク内のモビリティ管理ネットワーク構成要素が、ハンドオフ指示メッセージをＰＳネットワークのアクセスネットワークに送信する。
【００３９】
ステップ４２で、ＰＳネットワークのアクセスネットワークが、ハンドオフ指示メッセージを受信した後に、解放要求メッセージをＰＳネットワークのモビリティ管理ネットワーク構成要素に送信する。
【００４０】
ステップ４３で、ＰＳネットワークのモビリティ管理ネットワーク構成要素が、ＰＳネットワークのアクセスネットワークにより送信される解放要求メッセージを受信する。
【００４１】
ステップ４３で、ＰＳネットワークのモビリティ管理ネットワーク構成要素が、ＰＳネットワーク内のＵＥの資源を処理する。
【００４２】
この実施形態では、ＰＳネットワークのモビリティ管理ネットワーク構成要素により送信され、受信されたハンドオフ指示メッセージに従ってＵＥがハンドオーバされたと、ＰＳネットワークのアクセスネットワークが判断し、次に、解放要求メッセージを能動的に起動し、その結果、ＰＳネットワークのモビリティ管理ネットワーク構成要素が、ＰＳネットワーク内のＵＥの資源を処理する。
【００４３】
図５は、本発明のさらに別の実施形態による資源処理方法の流れ図である。図５を参照すると、この方法は以下のとおりである。
【００４４】
ステップ５１で、ＰＳネットワーク内のモビリティ管理ネットワーク構成要素が、ＰＳネットワークのアクセスネットワークを介してハンドオフ指示メッセージをＵＥに送信する。
【００４５】
ステップ５２で、ＵＥが、ハンドオフ指示メッセージを受信した後に、無線資源制御（ＲＲＣ）解放要求メッセージをＰＳネットワークのアクセスネットワークに送信する。ＲＲＣ解放要求メッセージが、ＲＲＣ接続を解放するようＰＳネットワークのアクセスネットワークに指示するように適合されていることがある。ＵＥにより送信されるＲＲＣ解放要求メッセージはまた、ＵＥをＣＳネットワークにハンドオーバすることによりＲＲＣ解放要求が引き起こされたことを示す指示情報を含むこともある。たとえば、ＵＥが、このメッセージで「原因」情報要素（ＩＥ）を運び、そのＩＥの値が、「ハンドオーバによるトリガ（Ｈａｎｄｏｖｅｒ  Ｔｒｉｇｇｅｒｅｄ）」に設定される。またはＵＥが、このメッセージで「ハンドオーバによるトリガ指示子（Ｈａｎｄｏｖｅｒ  Ｔｒｉｇｇｅｒｅｄ  Ｉｎｄｉｃａｔｏｒ）」ＩＥを運ぶ。
【００４６】
ステップ５３で、ＰＳネットワークのアクセスネットワークが、ＲＲＣ解放要求メッセージを受信した後に、解放要求メッセージをＰＳネットワークのモビリティ管理ネットワーク構成要素に送信する。
【００４７】
ステップ５４で、ＰＳネットワークのモビリティ管理ネットワーク構成要素が、ＰＳネットワークのアクセスネットワークにより送信される解放要求メッセージを受信する。
【００４８】
ステップ５５で、ＰＳネットワークのモビリティ管理ネットワーク構成要素が、ＰＳネットワーク内のＵＥの資源を処理する。
【００４９】
この実施形態では、ネットワーク側により送信されるハンドオフ指示メッセージを受信すると、すなわち、ＵＥが、ＰＳネットワークを介してＣＳネットワークアクセスの確立を完了し、ＣＳネットワークにハンドオーバされる準備ができたときに、ＵＥが解放手順を能動的に開始し、ＲＲＣ解放要求メッセージをＰＳネットワークのアクセスネットワークに送信して、ＰＳネットワーク内のＵＥの資源を処理することができることをネットワーク側に示す。ＰＳネットワークのアクセスネットワークが、ＵＥにより送信されるＲＲＣ解放要求メッセージを受信した後に、解放要求メッセージをＰＳネットワークのモビリティ管理ネットワーク構成要素に送信し、その結果、ＰＳネットワークのモビリティ管理ネットワーク構成要素が、ＰＳネットワーク内のＵＥの資源を処理する。
【００５０】
上記の実施形態のステップ３１、４２、および５３で、ＰＳネットワークのアクセスネットワークによりＰＳネットワークのモビリティ管理ネットワーク構成要素に送信される解放要求メッセージが、ＵＥをＣＳネットワークにハンドオーバすることによりこの解放要求が引き起こされたことを示す指示情報を含むことがある。この情報は、ＵＥをＣＳネットワークにハンドオーバすることによりこの解放要求が引き起こされたことを示すように適合されている。たとえば、ＰＳネットワークのアクセスネットワークが、解放要求メッセージで「原因」ＩＥを運ぶことがあり、そのＩＥの値が「ハンドオーバによるトリガ」に設定される。または、ＰＳネットワークのアクセスネットワークが、解放要求メッセージで「ハンドオーバによるトリガ指示子」ＩＥを運ぶことがある。
【００５１】
ＰＳネットワークのアクセスネットワークにより送信される解放要求メッセージを受信した後に、ＵＥをＣＳネットワークにハンドオーバすることにより解放要求が引き起こされたことを示す指示情報をそのメッセージが運んでいることを、ＰＳネットワークのモビリティ管理ネットワーク構成要素が確認した場合、ＰＳネットワークのモビリティ管理ネットワーク構成要素が、ＰＳネットワーク内のＵＥの資源を処理する。
【００５２】
図６は、本発明のさらに別の実施形態による資源処理方法の流れ図である。図６を参照すると、この方法は以下のとおりである。
【００５３】
ステップ６１で、ＵＥがＰＳネットワークからＣＳネットワークにハンドオーバされるときに、ＰＳネットワークのモビリティ管理ネットワーク構成要素が、ＣＳネットワークにより送信されるハンドオフ完了メッセージを受信する。
【００５４】
ステップ６２で、ＰＳネットワークのモビリティ管理ネットワーク構成要素が、ＰＳネットワーク内のＵＥの資源を処理する。
【００５５】
ステップ６１で、ＰＳネットワークのモビリティ管理ネットワーク構成要素が、ＣＳネットワークにより送信されるハンドオフ完了メッセージを受信するプロセスは、ネットワーク装置の具体的な構成により以下のようになることがある。
【００５６】
ＣＳネットワークとＰＳネットワークの間のＩＷＳが、ＣＳネットワークのアクセスネットワーク構成要素と統合されている場合、ＣＳネットワークのアクセスネットワーク構成要素が、ＵＥにより送信されるハンドオフ完了メッセージを受信した後に、ハンドオフ完了メッセージをＰＳネットワークのモビリティ管理ネットワーク構成要素に送信する。
【００５７】
あるいは、ＣＳネットワークとＰＳネットワークの間のＩＷＳが、ＰＳネットワークのモビリティ管理ネットワーク構成要素と統合されている場合、ＣＳネットワークのモビリティ管理ネットワーク構成要素が、ＣＳネットワークのアクセスネットワーク構成要素により送信されるハンドオフ完了メッセージを受信した後に、クリア指令（Ｃｌｅａｒ  Ｃｏｍｍａｎｄ）メッセージをＰＳネットワークのモビリティ管理ネットワーク構成要素に送信する。この場合、ＰＳネットワークのモビリティ管理ネットワーク構成要素が、クリア指令メッセージを受信した後に、ＰＳネットワークのモビリティ管理ネットワーク構成要素内のＩＷＳが、クリア指令メッセージをハンドオフ完了メッセージに変換することがある。または、クリア指令メッセージを受信した後に、ＰＳネットワークのモビリティ管理ネットワーク構成要素が、ハンドオフ完了メッセージが受信されたと判断し、かつその後の処理を実行することがある。
【００５８】
あるいは、ＣＳネットワークとＰＳネットワークの間のＩＷＳが、独立したネットワーク構成要素である場合、ＣＳネットワークのモビリティ管理ネットワーク構成要素が、ＣＳネットワークのアクセスネットワーク構成要素により送信されるハンドオフ完了メッセージを受信した後に、クリア指令メッセージをＩＷＳに送信し、ＩＷＳが、ハンドオフ完了メッセージをＰＳネットワークのモビリティ管理ネットワーク構成要素に送信する。
【００５９】
あるいは、ＣＳネットワークとＰＳネットワークの間のＩＷＳが、ＣＳネットワークのモビリティ管理ネットワーク構成要素と統合されている場合、ＰＳネットワークのモビリティ管理ネットワーク構成要素が、ＣＳネットワークのモビリティ管理ネットワーク構成要素により送信されるハンドオフ完了メッセージを受信する。
【００６０】
ＣＤＭ２０００  １ｘネットワークでは、ＣＳネットワークのモビリティ管理ネットワーク構成要素が、１ｘ  ＣＳ  ＭＳＣのことがある。
【００６１】
この実施形態では、ＵＥがＰＳネットワークからＣＳネットワークにハンドオーバされるときに、ＣＳネットワークにより送信され、受信されたハンドオフ完了メッセージに従ってＵＥがＣＳネットワークにうまくハンドオーバされたと、ＰＳネットワークのモビリティ管理ネットワーク構成要素が判断し、ＰＳネットワーク内のＵＥの資源の処理を能動的に開始する。
【００６２】
上記の実施形態のステップ３２、４４、５５、および６２では、ＰＳネットワークのモビリティ管理ネットワーク構成要素が、以下の方法のうちの１つの方法で、ＰＳネットワーク内のＵＥの資源を処理することがある。
【００６３】
ＰＳネットワークのモビリティ管理ネットワーク構成要素が、暗黙のユーザ分離処理を開始して（すなわち、ＵＥがネットワーク側から分離された後に、ネットワーク側が、分離メッセージを送信して、ＵＥに分離するよう通知する必要がない）、ＵＥをＰＳネットワークから切り離す。
【００６４】
あるいは、ＰＳネットワークのモビリティ管理ネットワーク構成要素が、ＵＥの分離を開始するのではなく、ＰＳネットワーク内のＵＥのすべてのベアラを保持し、ベアラを中断するようにＳＧＷに指示する。
【００６５】
あるいは、ＰＳネットワークのモビリティ管理ネットワーク構成要素が、ＵＥの分離を開始するのではなく、１つまたは複数のベアラ削除手順を開始して、種々のベアラ種別に従って、ベアラの一部を削除し、かつベアラのその他の部分を保持し、保持されたベアラを中断するようＳＧＷに指示する。たとえば、保証ビットレート（Ｇｕａｒａｎｔｅｅｄ  Ｂｉｔ  Ｒａｔｅ、ＧＢＲ）ベアラについては、ＰＳネットワークのモビリティ管理ネットワーク構成要素が、１つまたは複数のベアラ削除手順を開始して、ＧＢＲベアラを削除する。そして、非ＧＢＲベアラについては、ＰＳネットワークのモビリティ管理ネットワーク構成要素が、非ＧＢＲベアラを保持し、非ＧＢＲベアラを中断するようＳＧＷに指示する。非ＧＢＲベアラは、ネットワーク資源をベアラの他の部分と共用するので、ＧＢＲベアラには専用ネットワーク資源を割り当てる必要があるが、非ＧＢＲベアラには割り当てる必要がない。この方法では、ＧＢＲベアラが早めに削除されるので、専用ネットワーク資源が早めに解放されることがある。ネットワーク資源を浪費しないためにネットワーク資源をベアラのその他の部分と共用することがある非ＧＢＲベアラは、中断される。
【００６６】
あるいは、ＶｏＩＰベアラについては、ＰＳネットワークのモビリティ管理ネットワーク構成要素が、１つまたは複数のベアラ削除手順を開始して、ＶｏＩＰベアラを削除する。ＶｏＩＰベアラ以外のベアラについては、ＰＳネットワークのモビリティ管理ネットワーク構成要素が、ＶｏＩＰベアラ以外のベアラを保持し、ＶｏＩＰベアラ以外のベアラを中断するようＳＧＷに指示する。この方法では、ＰＳネットワーク内のＵＥの元々の音声ベアラが早めに解放されることがあり、他の非音声ベアラが保持され、かつ中断されることがある。したがって、ＰＳネットワークに戻ってきた後に、ＵＥがサービスをそのユーザに連続して提供することができる。
【００６７】
本発明のこの実施形態では、ＰＳネットワークのモビリティ管理ネットワーク構成要素が、種々のベアラ種別に従って、ベアラの一部を削除し、一方でベアラのその他の部分を保持する必要があるときに、以下の手法のうちの１つが使用されることもある。
【００６８】
１）  ＰＳネットワークのモビリティ管理ネットワーク構成要素が、ＵＥのすべてのベアラを中断するようＳＧＷに指示することがある。そして、ＰＳネットワークのモビリティ管理ネットワーク構成要素が、種々のベアラ種別に従って、ベアラの一部（たとえば、非ＧＢＲベアラ）を保持し、かつベアラ削除手順を開始して、ベアラのその他の部分（たとえば、ＧＢＲベアラ）を削除する。
【００６９】
２）  ＰＳネットワークのモビリティ管理ネットワーク構成要素が、種々のベアラ種別に従って、ベアラの一部（たとえば、ＧＢＲベアラ）を削除し、かつベアラのその他の部分（たとえば、非ＧＢＲベアラ）を保持し、保持されたベアラを中断するようＳＧＷに指示する。ＳＧＷが、ベアラ中断メッセージを受信した後に、保持されたベアラを中断し、保持されていないベアラを削除する（すなわち、たとえば、ＳＧＷがＧＢＲベアラを削除するなど、ＳＧＷが中断されていないベアラを削除する）。
【００７０】
３）  ＰＳネットワークのモビリティ管理ネットワーク構成要素が、種々のベアラ種別に従って、ベアラの一部（たとえば、ＧＢＲベアラ）を削除し、かつベアラのその他の部分（たとえば、非ＧＢＲベアラ）を保持し、ＵＥのすべてのベアラを中断するようＳＧＷに指示する。ＳＧＷが、ベアラ中断メッセージを受信した後に、種々のベアラ種別に従って、ベアラの一部（たとえば、ＧＢＲベアラ）を削除し、かつ保持されたベアラ（たとえば、非ＧＢＲベアラ）を中断する。この方法では、ＳＧＷとモビリティ管理ネットワーク構成要素が、同じベアラ処理規則を有する必要がある。
【００７１】
４）  ＰＳネットワークのモビリティ管理ネットワーク構成要素が、種々のベアラ種別に従って、ベアラの一部を削除し、かつベアラのその他の部分を保持し、保持されたベアラを中断し、かつ保持されていないベアラを削除するようＳＧＷに指示する。手法４）は、以下の４つのうちの１つの方法で実装されることがある。
【００７２】
方法１：  ＰＳネットワークのモビリティ管理ネットワーク構成要素が、ベアラ更新要求メッセージをＳＧＷに送信する。ベアラ更新要求メッセージが、ベアラの状態だけでなく、中断されるべきベアラのＩＤおよび削除されるべきベアラのＩＤを含む。中断されるべきベアラの状態が、「中断」に設定され、削除されるべきベアラの状態が、「削除」に設定される。ベアラ更新要求メッセージを受信した後に、ＳＧＷが、「中断」状態にあるベアラのＩＤに対応するベアラを中断し、「削除」状態にあるベアラのＩＤに対応するベアラを削除する。
【００７３】
この方法では、ベアラ更新要求メッセージにより運ばれる内容は、たとえば、以下のとおりである。
ベアラＩＤ１、中断
ベアラＩＤ２、中断
ベアラＩＤ３、削除
ベアラＩＤ４、削除
【００７４】
方法２：  ＰＳネットワークのモビリティ管理ネットワーク構成要素が、ベアラ更新要求メッセージをＳＧＷに送信する。ベアラ更新要求メッセージが、中断されるべきベアラのＩＤからなる中断リスト、および削除されるべきベアラのＩＤからなる削除リストを含む。ベアラ更新要求メッセージを受信した後に、ＳＧＷが、中断リストに対応するベアラを中断し、削除リストに対応するベアラを削除する。
【００７５】
この方法では、ベアラ更新要求メッセージにより運ばれる内容は、たとえば、以下のとおりである。
中断リスト：
ベアラＩＤ１
ベアラＩＤ２
削除リスト：
ベアラＩＤ３
ベアラＩＤ４
【００７６】
方法３：  ＰＳネットワークのモビリティ管理ネットワーク構成要素が、ベアラ中断要求メッセージをＳＧＷに送信する。ベアラ中断要求メッセージが、中断されるべきベアラのＩＤからなる中断リスト、および削除されるべきベアラのＩＤからなる削除リストを含む。ベアラ中断要求メッセージを受信した後に、ＳＧＷが、中断リストに対応するベアラの状態を「中断」に設定し、削除リストに対応するベアラを削除する。
【００７７】
方法４：  ＰＳネットワークのモビリティ管理ネットワーク構成要素が、ベアラ中断要求メッセージをＳＧＷに送信する。ベアラ中断要求メッセージが、ＵＥのＩＤ、および削除されるべきベアラのＩＤからなる削除リストを含む。ベアラ中断要求メッセージを受信した後に、ＳＧＷが、削除リストに対応するベアラを削除し、ベアラのその他の部分を中断する。
【００７８】
ＰＳネットワークのモビリティ管理ネットワーク構成要素が、以下の４つの手法で中断されるべきベアラを中断するようＳＧＷに指示する。
【００７９】
手法１：  ＰＳネットワークのモビリティ管理ネットワーク構成要素が、ベアラ更新要求メッセージをＳＧＷに送信する。ベアラ更新要求メッセージが、中断されるべきベアラのＩＤおよびそのベアラの状態を含み、そのベアラの状態が「中断」に設定される。ベアラ更新要求メッセージを受信した後に、ＳＧＷが、ベアラのＩＤに対応するベアラを中断する。
【００８０】
手法２：  ＰＳネットワークのモビリティ管理ネットワーク構成要素が、ベアラ更新要求メッセージをＳＧＷに送信する。ベアラ更新要求メッセージが、ＵＥのＩＤ、およびベアラの状態を含み、ベアラの状態が「中断」に設定される。ベアラ更新要求メッセージを受信した後に、ＳＧＷが、ＵＥのすべてのベアラを中断する。
【００８１】
手法３：  ＰＳネットワークのモビリティ管理ネットワーク構成要素が、ベアラ中断要求メッセージをＳＧＷに送信する。ベアラ中断要求メッセージが、中断されるべきベアラのＩＤを含む。ベアラ中断要求メッセージを受信した後に、ＳＧＷがベアラのＩＤに対応するベアラの状態を「中断」に設定する。
【００８２】
手法４：  ＰＳネットワークのモビリティ管理ネットワーク構成要素が、ベアラ中断要求メッセージをＳＧＷに送信する。ベアラ中断要求メッセージが、ＵＥのＩＤを運ぶ。ベアラ中断要求メッセージを受信した後に、ＳＧＷがＵＥのすべてのベアラの状態を「中断」に設定する。
【００８３】
ＳＧＷがベアラを中断した後に、ＳＧＷが、中断されたベアラ上のダウンリンク・データ・パケットを引き続き受信するが、ページングはトリガしない。ＳＧＷが、これらのダウンリンク・データ・パケットをバッファに入れることがあり、たとえば、中断されたベアラにより使用されたダウンリンクＴＥＩＤを解放するなど、ＳＧＷとダウンリンク・ユーザ・プレーン・ネットワーク構成要素の間の中断されたベアラにより使用された資源を解放することもある。たとえば、Ｅ−ＵＴＲＡＮネットワークでは、ＳＧＷが、ＳＧＷとｅＮｏｄｅＢの間の資源を解放する。ＵＴＲＡＮネットワークでは、ＳＧＷが、ＳＧＷと、無線ネットワークコントローラ（ＲＮＣ）または３Ｇ  ＳＧＳＮとの間の資源を解放する。そして、ＧＥＲＡＮネットワークでは、ＳＧＷが、ＳＧＷと２Ｇ  ＳＧＳＮの間の資源を解放する。
【００８４】
ＵＥをＰＳネットワークからＣＤＭＡ２０００  １ｘネットワークにハンドオーバする手順は、たとえば、以下の詳細な例示の中で使用される。ＧＳＭ  ＣＳネットワークなどの他のＣＳネットワークについての基本処理および処理手順は、同じ、または類似しているので、その詳細を本明細書で再度説明しないものとする。
【００８５】
図７は、本発明の一実施形態による、ＵＥがＰＳネットワークからＣＤＭＡ２０００  １ｘネットワークにハンドオーバされるときに、資源を処理する方法のシグナリングの流れ図である。図７を参照すると、この方法は具体的には以下のとおりである。
【００８６】
ステップ７１で、ＶｏＩＰセッションがＰＳネットワーク内に存在する。
【００８７】
ステップ７２で、ＰＳネットワークのアクセスネットワークが、ＣＤＭＡ２０００  １ｘネットワークにハンドオーバすると判断する。ＰＳネットワークのアクセスネットワークは、Ｅ−ＵＴＲＡＮでも、ＧＥＲＡＮでも、ＵＴＲＡＮでもよい。
【００８８】
ステップ７３で、ＰＳネットワークのアクセスネットワークが、再配置指示を送信して、システム間ハンドオーバを実行するようＵＥに通知する。
【００８９】
ステップ７４で、ＵＥが、ＰＳネットワークを介して１ｘ発信メッセージを１ｘ  ＣＳ  ＩＷＳに送信する。すなわち、ＵＥが、１ｘ発信メッセージをＰＳネットワークのアクセスネットワークに送信し、ＰＳネットワークのアクセスネットワークが、アップリンクＣＤＭＡ２０００トンネルメッセージ（１ｘ発信メッセージが、このメッセージ中にカプセル化されている）を、ＰＳネットワークのモビリティ管理ネットワーク構成要素（ＧＥＲＡＮ／ＵＴＲＡＮネットワークでは、ＰＳネットワークのモビリティ管理ネットワーク構成要素はＳＧＳＮであり、Ｅ−ＵＴＲＡＮでは、ＰＳネットワークのモビリティ管理ネットワーク構成要素はＭＭＥである）に送信する。アップリンクＣＤＭＡ２０００トンネルメッセージを受信した後に、ＰＳネットワークのモビリティ管理ネットワーク構成要素が、１ｘ発信メッセージをアップリンクＣＤＭＡ２０００トンネルメッセージから得て、１ｘ発信メッセージを１ｘ  ＣＳ  ＩＷＳに送信する。
【００９０】
ステップ７５で、ＩＷＳが、ＣＭサービス要求メッセージを１ｘ  ＣＳ  ＭＳＣに送信する。
【００９１】
ステップ７６で、ＭＳＣが、割当要求メッセージをＩＷＳに送信する。
【００９２】
ステップ７７で、ＩＷＳが、ＰＳネットワークを介してハンドオフ指示メッセージをＵＥに送信する。すなわち、ＩＷＳが、ハンドオフ指示メッセージをＰＳネットワークのモビリティ管理ネットワーク構成要素に送信する。ＰＳネットワークのモビリティ管理ネットワーク構成要素が、ダウンリンクＣＤＭＡ２０００トンネルメッセージ（ハンドオフ指示メッセージが、このメッセージの中にカプセル化されている）をＰＳネットワークのアクセスネットワークに送信する。そして、ＰＳネットワークのアクセスネットワークが、ハンドオフ指示メッセージをＵＥに転送する。
【００９３】
ステップ７８で、ＵＥが、ＣＤＭＡ  １ｘネットワークにハンドオーバされる前に、ＲＲＣ解放要求メッセージをＰＳネットワークのアクセスネットワークに送信する。ＵＥがＲＲＣ解放要求メッセージで指示情報を運び、その指示情報が、ＲＲＣ接続解放がハンドオーバにより引き起こされたことをＰＳネットワークのアクセスネットワークに示すように適合されている。たとえば、ＵＥが、そのメッセージで「原因」ＩＥを運び、そのＩＥの値が「ハンドオーバによるトリガ」に設定される。または、ＵＥが、そのメッセージで「ハンドオーバによるトリガ指示子」ＩＥを運ぶ。
【００９４】
ステップ７９で、ＰＳネットワークのアクセスネットワークが、ＲＲＣ解放要求メッセージを受信した後に、解放メッセージをＰＳネットワークのモビリティ管理ネットワーク構成要素に送信する。Ｅ−ＵＴＲＡＮネットワークでは、解放メッセージがＳ１  ＵＥコンテキスト解放要求メッセージであり、ＵＴＲＡＮ／ＧＥＲＡＮネットワークでは、解放メッセージがＩｕ解放要求メッセージである。ＰＳネットワークのアクセスネットワークが、解放要求メッセージで指示情報を運び、その指示情報が、ＵＥをハンドオーバすることにより解放要求が引き起こされたことをＰＳネットワークのモビリティ管理ネットワーク構成要素に指示するように適合されている。たとえば、ＰＳネットワークのアクセスネットワークが、解放要求メッセージで「原因」ＩＥを運び、そのＩＥの値が「ハンドオーバによるトリガ」に設定される。または、ＰＳネットワークのアクセスネットワークが、解放要求メッセージで「ハンドオーバによるトリガ指示子」ＩＥを運ぶ。
【００９５】
ステップ７１０で、ＰＳネットワークのモビリティ管理ネットワーク構成要素が、上記メッセージを受信した後に、ＰＳネットワーク内のＵＥの資源を管理する。ＰＳネットワークのモビリティ管理ネットワーク構成要素が、資源を以下のように処理することがある。
【００９６】
１）  ＰＳネットワークのモビリティ管理ネットワーク構成要素が、暗黙のユーザ分離手順を開始して、ＵＥをＰＳネットワークから切り離す。ＵＥがネットワークから切り離されたときに、ベアラがＰＳネットワークから削除される。このとき、図７に示すように、ＰＳネットワークのモビリティ管理ネットワーク構成要素は、ベアラ削除要求メッセージだけをＳＧＷに送信する。ＳＧＷがＰＤＮ  ＧＷと対話して、そのＵＥに関連するベアラを削除する。
【００９７】
２）  ＰＳネットワークのモビリティ管理ネットワーク構成要素が、ＵＥを切り離さない（すなわち、ＵＥのＭＭコンテキストを保持する）。ＧＢＲベアラについては、ＰＳネットワークのモビリティ管理ネットワーク構成要素が、ベアラ削除手順を開始して、ベアラを削除する、すなわち、ベアラ削除要求メッセージをＳＧＷに送信する。そして、非ＧＢＲベアラについては、ＰＳネットワークのモビリティ管理ネットワーク構成要素が、これらのベアラを保持するが、これらのベアラを中断するようＳＧＷに指示する。
【００９８】
３）  ＰＳネットワークのモビリティ管理ネットワーク構成要素が、ＵＥを切り離さない（すなわち、ＵＥのＭＭコンテキストを保持する）。ＶｏＩＰベアラについては、ＰＳネットワークのモビリティ管理ネットワーク構成要素が、ベアラ削除手順を開始して、ベアラを削除する、すなわち、ベアラ削除要求メッセージをＳＧＷに送信する。そして、ベアラの他の部分については、ＰＳネットワークのモビリティ管理ネットワーク構成要素が、これらのベアラを保持するが、これらのベアラを中断するようＳＧＷに指示する。
【００９９】
４）  ＰＳネットワークのモビリティ管理ネットワーク構成要素が、ＵＥを切り離さない（すなわち、ＵＥのＭＭコンテキストを保持する）。ベアラについては、ＰＳネットワークのモビリティ管理ネットワーク構成要素が、ベアラを保持するが、そのベアラを中断するようＳＧＷに指示する。
【０１００】
ＰＳネットワークのモビリティ管理ネットワーク構成要素が、以下の方法でベアラを中断するようＳＧＷに指示することがある。
【０１０１】
ａ）  ＰＳネットワークのモビリティ管理ネットワーク構成要素が、ベアラ更新要求メッセージをＳＧＷに送信する。中断されるべきベアラ毎に、ベアラ更新要求メッセージがベアラのＩＤおよびベアラの状態を運ぶ。ＰＳネットワークのモビリティ管理ネットワーク構成要素が、ベアラの状態を「中断」に設定する。
【０１０２】
ｂ）  ＰＳネットワークのモビリティ管理ネットワーク構成要素が、ベアラ更新要求メッセージをＳＧＷに送信する。このメッセージがＵＥのＩＤおよびベアラの状態を運ぶ。ＰＳネットワークのモビリティ管理ネットワーク構成要素が、ベアラの状態を「中断」に設定し、ＳＧＷがＵＥのすべてのベアラの状態を「中断」に設定する。
【０１０３】
ｃ）  ＰＳネットワークのモビリティ管理ネットワーク構成要素が、ベアラ中断要求メッセージをＳＧＷに送信する。中断されるべきベアラ毎に、ベアラ中断要求メッセージがベアラのＩＤを運ぶ。ベアラ中断要求メッセージを受信した後に、ＳＧＷがＩＤに対応するベアラの状態を「中断」に設定する。
【０１０４】
ｄ）  ＰＳネットワークのモビリティ管理ネットワーク構成要素が、ベアラ中断要求メッセージをＳＧＷに送信する。このメッセージがＵＥのＩＤを運ぶ。ベアラ中断要求メッセージを受信した後に、ＳＧＷがＵＥのすべてのベアラの状態を「中断」に設定する。
【０１０５】
ステップ７１１で、ＵＥがＣＤＭＡ  １ｘネットワークにハンドオーバされ、ＴＣＣ手順が実行されて、トラフィックチャネルを得る。
【０１０６】
ステップ７１２で、ＵＥが、１ｘハンドオフ完了メッセージをＣＤＭＡ２０００  １ｘアクセスネットワークに送信する。
【０１０７】
ステップ７１３で、ＣＤＭＡ２０００  １ｘアクセスネットワークが、ハンドオフ完了メッセージまたは割当完了メッセージをＭＳＣに送信する。
【０１０８】
ステップ７１４で、音声呼が、ＣＤＭＡ２０００  １ｘネットワーク内で確立される。
【０１０９】
本発明のこの実施形態では、ＰＳネットワークのモビリティ管理ネットワーク構成要素が、種々のベアラ種別に従って、ベアラの一部を削除し、かつベアラのその他の部分を保持する必要があるときに、以下の手法のうちの１つが使用されることもある。
【０１１０】
１）  ＰＳネットワークのモビリティ管理ネットワーク構成要素が、ＵＥのすべてのベアラを中断するようＳＧＷに指示することがある。そして、ＰＳネットワークのモビリティ管理ネットワーク構成要素が、種々のベアラ種別に従って、ベアラの一部（たとえば、非ＧＢＲベアラ）を保持し、かつベアラ削除手順を開始してベアラのその他の部分（たとえば、ＧＢＲベアラ）を削除するようベアラ削除手順に指示する。
【０１１１】
２）  ＰＳネットワークのモビリティ管理ネットワーク構成要素が、種々のベアラ種別に従って、ベアラの一部（たとえば、ＧＢＲベアラ）を削除し、かつベアラのその他の部分（たとえば、非ＧＢＲベアラ）を保持し、保持されたベアラを中断するようＳＧＷに指示する。そして、ＳＧＷが、ベアラ中断メッセージを受信した後に、保持されたベアラを中断し、かつ保持されていないベアラを削除する（すなわち、たとえば、ＳＧＷがＧＢＲベアラを削除するなど、ＳＧＷが、保持されていないベアラを削除する）。
【０１１２】
３）  ＰＳネットワークのモビリティ管理ネットワーク構成要素が、種々のベアラ種別に従って、ベアラの一部（たとえば、ＧＢＲベアラ）を削除し、かつベアラのその他の部分（たとえば、非ＧＢＲベアラ）を保持し、ＵＥのすべてのベアラを中断するようＳＧＷに指示する。そして、ＳＧＷが、ベアラ中断メッセージを受信した後に、種々のベアラ種別に従って、ベアラの一部（たとえば、ＧＢＲベアラ）を削除し、かつ保持されたベアラ（たとえば、非ＧＢＲベアラ）を中断する。この手法では、ＳＧＷとモビリティ管理ネットワーク構成要素が、同じベアラ処理規則を有する必要がある。
【０１１３】
４）  ＰＳネットワークのモビリティ管理ネットワーク構成要素が、種々のベアラ種別に従って、ベアラの一部を削除し、かつベアラのその他の部分を保持し、保持されたベアラを中断しかつ保持されていないベアラを削除するようＳＧＷに指示する。手法４）は、以下の４つのうちの１つの方法で実装されることがある。
【０１１４】
方法１：  ＰＳネットワークのモビリティ管理ネットワーク構成要素が、ベアラ更新要求メッセージをＳＧＷに送信する。ベアラ更新要求メッセージが、ベアラの状態だけでなく、中断されるべきベアラのＩＤおよび削除されるべきベアラのＩＤも含む。中断されるべきベアラの状態が「中断」に設定され、削除されるべきベアラの状態が「削除」に設定される。ベアラ更新要求メッセージを受信した後に、ＳＧＷが、「中断」状態にあるベアラのＩＤに対応するベアラを中断し、「削除」状態にあるベアラのＩＤに対応するベアラを削除する。
【０１１５】
方法２：  ＰＳネットワークのモビリティ管理ネットワーク構成要素が、ベアラ更新要求メッセージをＳＧＷに送信する。ベアラ更新要求メッセージが、中断されるべきベアラのＩＤからなる中断リスト、および削除されるべきベアラのＩＤからなる削除リストを含む。ベアラ更新要求メッセージを受信した後に、ＳＧＷが、中断リストに対応するベアラを中断し、削除リストに対応するベアラを削除する。
【０１１６】
方法３：  ＰＳネットワークのモビリティ管理ネットワーク構成要素が、ベアラ中断要求メッセージをＳＧＷに送信する。ベアラ中断要求メッセージが、中断されるべきベアラのＩＤからなる中断リスト、および削除されるべきベアラのＩＤからなる削除リストを含む。ベアラ中断要求メッセージを受信した後に、ＳＧＷが、中断リストに対応するベアラの状態を「中断」に設定し、削除リストに対応するベアラを削除する。
【０１１７】
方法４：  ＰＳネットワークのモビリティ管理ネットワーク構成要素が、ベアラ中断要求メッセージをＳＧＷに送信する。ベアラ中断要求メッセージが、ＵＥのＩＤ、および削除されるべきベアラのＩＤからなる削除リストを含む。ベアラ中断要求メッセージを受信した後に、ＳＧＷが、削除リストに対応するベアラを削除し、ベアラのその他の部分を中断する。
【０１１８】
上記の実施形態により、ＣＤＭＡ２０００  １ｘアクセスネットワークにより送信されるハンドオフ指示メッセージを受信すると、すなわち、ＵＥが、ＰＳネットワークを介してＣＤＭＡ２０００  １ｘネットワークアクセスの確立を完了し、ＣＤＭＡ２０００  １ｘアクセスネットワークにハンドオーバされる準備ができているときに、ＵＥが、解放手順を能動的に開始し、ＲＲＣ解放要求メッセージをＰＳネットワークのアクセスネットワークに送信して、ＰＳネットワーク内のＵＥの資源を処理することができることをネットワーク側に指示する。そして、ＵＥにより送信されるＲＲＣ解放要求メッセージを受信した後に、ＰＳネットワークのアクセスネットワークが、解放要求メッセージをＰＳネットワークのモビリティ管理ネットワーク構成要素に送信し、その結果、ＰＳネットワークのモビリティ管理ネットワーク構成要素が、ＰＳネットワーク内のＵＥの資源を処理する。
【０１１９】
図８は、本発明の別の実施形態による、ＵＥがＰＳネットワークからＣＤＭＡ２０００  １ｘネットワークにハンドオーバされるときの資源処理方法のシグナリングの流れ図である。図８を参照すると、この方法は以下のとおりである。
【０１２０】
ステップ８１〜８７は、前の実施形態のステップ７１〜７７にそれぞれ対応する。
【０１２１】
ステップ８８で、ＰＳネットワークのモビリティ管理ネットワーク構成要素により送信されるダウンリンクＣＤＭＡ２０００トンネルメッセージ（ハンドオフ指示メッセージが、このメッセージの中にカプセル化されている）を受信した後に、すなわち、ＰＳネットワークのモビリティ管理ネットワーク構成要素により送信されるハンドオフ指示メッセージを受信した後に、ＰＳネットワークのアクセスネットワークが、解放メッセージをＰＳネットワークのモビリティ管理ネットワーク構成要素に送信する。Ｅ−ＵＴＲＡＮネットワークでは、解放メッセージがＳ１  ＵＥコンテキスト解放要求メッセージであり、ＵＴＲＡＮ／ＧＥＲＡＮネットワークでは、解放メッセージがＩｕ解放要求メッセージである。ＰＳネットワークのアクセスネットワークが、解放要求メッセージで指示情報を運び、この指示情報が、ＵＥをハンドオーバすることにより解放要求が引き起こされたことをＰＳネットワークのモビリティ管理ネットワーク構成要素に指示するように適合されている。たとえば、ＰＳネットワークのアクセスネットワークが、解放要求メッセージで「原因」ＩＥを運び、そのＩＥの値が「ハンドオーバによるトリガ」に設定される。または、ＰＳネットワークのアクセスネットワークが、解放要求メッセージで「ハンドオーバによるトリガ指示子」ＩＥを運ぶ。
【０１２２】
ステップ８９〜８１３は、前の実施形態のステップ７１０〜７１４にそれぞれ対応する。
【０１２３】
この実施形態では、ＰＳネットワークのモビリティ管理ネットワーク構成要素により送信され、受信されたハンドオフ指示メッセージに従ってＵＥがハンドオーバされたと、ＰＳネットワークのアクセスネットワークが判断し、次に、解放要求メッセージを能動的に起動し、その結果、ＰＳネットワークのモビリティ管理ネットワーク構成要素が、ＰＳネットワーク内のＵＥの資源を処理する。
【０１２４】
図９は、本発明のさらに別の実施形態による、ＵＥがＰＳネットワークからＣＤＭＡ２０００  １ｘネットワークにハンドオーバされるときの資源処理方法のシグナリングの流れ図である。図９を参照すると、この方法は以下のとおりである。
【０１２５】
ステップ９１〜９７は、上記の実施形態のステップ７１〜７７にそれぞれ対応する。
【０１２６】
ステップ９８〜９１１は、上記の実施形態のそれぞれステップ７１１〜７１４にステップ対応する。
【０１２７】
ステップ９１２で、ＵＥがＣＤＭＡ２０００  １ｘネットワークにハンドオーバされた後に、１ｘ  ＣＳ  ＭＳＣが、１ｘ  ＣＳアクセスネットワーク構成要素により送信される割当完了メッセージ（図に示されている）を受信する、または１ｘＣＳアクセスネットワーク構成要素により送信される１ｘハンドオフ完了メッセージ（図に示されておらず、割当完了メッセージと入れ換えることができる）を受信し、次に、クリア指令メッセージをＩＷＳに送信する。
【０１２８】
ステップ９１３で、クリア指令メッセージを受信した後に、ＩＷＳが、ハンドオフ完了メッセージをＰＳネットワークのモビリティ管理ネットワーク構成要素に送信する。
【０１２９】
ステップ９１４で、ＩＷＳにより送信されるハンドオフ完了メッセージを受信した後に、ＰＳネットワークのモビリティ管理ネットワーク構成要素が、ＵＥがハンドオーバされたと判断し、次に、ＰＳネットワーク内のＵＥの資源を管理する。ＰＳネットワーク内のＵＥの資源を管理するための、ＰＳネットワークのモビリティ管理ネットワーク構成要素により使用される処理方法が、ステップ７１０の方法と同じなので、その詳細を本明細書で再度説明しないものとする。
【０１３０】
この実施形態では、ＵＥがＰＳネットワークからＣＳネットワークにハンドオーバされるときに、ＣＳネットワークにより送信され、受信されたハンドオフ完了メッセージに従ってＵＥがＣＳネットワークにうまくハンドオーバされたと、ＰＳネットワークのモビリティ管理ネットワーク構成要素が判断し、ＰＳネットワーク内のＵＥの資源の処理を能動的に開始し、その結果、ＰＳネットワーク内のＵＥの資源の処理が達成される。
【０１３１】
図９に示す実施形態では、ＩＷＳが独立したネットワーク構成要素であり、１ｘ  ＣＳ  ＭＳＣからの１ｘ  ＣＳシグナリングをカプセル化し、かつＰＳネットワークを介して、カプセル化された１ｘ  ＣＳシグナリングをＵＥに送信するために、１ｘ  ＣＳシグナリングの交換および転送の機能を主に実装する。または、ＵＥが、ＰＳネットワークを介して、カプセル化された１ｘ  ＣＳシグナリングをＩＷＳに送信し、ＩＷＳが、カプセル化された１ｘ  ＣＳシグナリングを１ｘ  ＣＳ  ＭＳＣに転送する。実際の実施形態では、ＩＷＳの機能が、ネットワーク内の他の構成要素と統合されて、統合されたネットワーク構成要素を形成することもある。このとき、図９に示す実施形態では、ステップ９１２およびステップ９１３で、ＰＳネットワークのモビリティ管理ネットワーク構成要素がＣＳネットワークにより送信されるハンドオフ完了メッセージを受信する処理が、以下のようになることがある。
【０１３２】
１）  ＩＷＳが１ｘ  ＣＳアクセスネットワーク構成要素と統合されている場合、ＩＷＳ／１ｘ  ＣＳアクセスネットワーク構成要素が、ＵＥにより送信される１ｘハンドオフ完了メッセージを受信した後に、ハンドオフ完了メッセージまたは割当完了メッセージをＰＳネットワークのモビリティ管理ネットワーク構成要素に送信する。本発明の実施形態では、ハンドオフ完了メッセージおよび割当完了メッセージは、名称が異なるだけで、ハンドオフが完了したことを示すための同じ機能を有し、両方ともハンドオフ完了メッセージとみなしてよい。
【０１３３】
２）  １ｘ  ＣＳ  ＩＷＳがＰＳネットワークのモビリティ管理ネットワーク構成要素と統合されている場合、１ｘ  ＣＳ  ＭＳＣが、１ｘ  ＣＳアクセスネットワーク構成要素により送信されるハンドオフ完了メッセージを受信した後に、クリア指令メッセージを１ｘ  ＣＳ  ＩＷＳ、またはＰＳネットワークのモビリティ管理ネットワーク構成要素に送信する。この場合、統合されたネットワーク構成要素がクリア指令メッセージを受信した後に、統合されたネットワーク構成要素内のＩＷＳが、クリア指令メッセージをハンドオフ完了メッセージに変換することがある。または、クリア指令メッセージを受信した後に、統合されたネットワーク構成要素が、ハンドオフ完了メッセージが受信されたと判断し、かつその後の処理を実行することがある。
【０１３４】
３）  １ｘ  ＣＳ  ＩＷＳが１ｘ  ＣＳ  ＭＳＣと統合されている場合、１ｘ  ＣＳ  ＩＷＳ／１ｘ  ＣＳ  ＭＳＣが、１ｘ  ＣＳアクセスネットワーク構成要素により送信されるハンドオフ完了メッセージを受信した後に、ハンドオフ完了メッセージをＰＳネットワークのモビリティ管理ネットワーク構成要素に送信する。
【０１３５】
ＵＥがＰＳネットワークからＣＳネットワークにハンドオーバされるときの、ＰＳネットワーク内のＵＥの資源を処理する方法を上記に詳述してきた。ＵＥがＰＳネットワークからＣＳネットワークにハンドオーバされるときに、ＰＳネットワーク内のＵＥの資源を処理するように適合されている、通信システムおよびＰＳネットワーク内のモビリティ管理ネットワーク構成要素が、以下に説明される。上記の方法における機能の詳細な説明だけでなく種々の処理手段が、以下に説明される通信システムおよびＰＳネットワーク内のモビリティ管理ネットワーク構成要素に適用可能である。
【０１３６】
図１０は、本発明の一実施形態による通信システムの構造図である。図１０を参照すると、この通信システムは、ＰＳネットワーク内のモビリティ管理ネットワーク構成要素１０１、およびＰＳネットワークのアクセスネットワーク１０３を含む。ＵＥがＰＳネットワークからＣＳネットワークにハンドオーバされるときに、ＰＳネットワークのアクセスネットワーク１０３が、解放要求メッセージをＰＳネットワークのモビリティ管理ネットワーク構成要素に送信するように適合されている。そして、ＰＳネットワーク内のモビリティ管理ネットワーク構成要素１０１が、ＰＳネットワークのアクセスネットワークにより送信される解放要求メッセージを受信し、かつＰＳネットワーク内のＵＥの資源を処理するように適合されている。
【０１３７】
ＧＥＲＡＮ／ＵＴＲＡＮネットワークでは、ＰＳネットワークのモビリティ管理ネットワーク構成要素がＳＧＳＭのことがある。そして、Ｅ−ＵＴＲＡＮでは、ＰＳネットワークのモビリティ管理ネットワーク構成要素がＭＭＥのことがある。したがって、ＰＳネットワークのアクセスネットワークが、様々なＰＳネットワーク内のアクセスネットワークに対応していることもある。
【０１３８】
ＵＥをＰＳネットワークからＣＳネットワークにハンドオーバするための具体的手順は図７および図８の方法の実施形態に説明されているが、その詳細を本明細書で再度説明しないものとする。この場合、ＰＳネットワークのアクセスネットワークが、ＰＳネットワークのモビリティ管理ネットワーク構成要素により送信されるハンドオフ指示メッセージを受信した後に、解放要求メッセージをＰＳネットワークのモビリティ管理ネットワーク構成要素に送信することも、ＵＥにより送信されるＲＲＣ解放要求メッセージを受信した後に、解放要求メッセージをＰＳネットワークのモビリティ管理ネットワーク構成要素に送信することもある。ＵＥがハンドオフ指示メッセージを受信した後に、ＲＲＣ解放要求メッセージが、ＵＥによりＰＳネットワークのアクセスネットワークに送信されることがある。ＵＥをＣＳネットワークにハンドオーバすることによりＲＲＣ解放要求が引き起こされたことを示す指示情報を、ＲＲＣ解放要求メッセージがさらに含むことがある。たとえば、ＵＥがこのメッセージで「原因」ＩＥを運び、そのＩＥの値が「ハンドオーバによるトリガ」に設定される。または、ＵＥがこのメッセージで「ハンドオーバによるトリガ指示子」ＩＥを運ぶ。ＰＳネットワークのアクセスネットワークはまた、ＰＳネットワークのモビリティ管理ネットワーク構成要素に送信される解放要求メッセージで指示情報を運ぶように適合されることもあり、この指示情報が、ＵＥをＣＳネットワークにハンドオーバすることにより解放要求が引き起こされたことを示すように適合されている。たとえば、ＰＳネットワークのアクセスネットワークが、解放要求メッセージで「原因」ＩＥを運び、そのＩＥの値が「ハンドオーバによるトリガ」に設定される。または、ＰＳネットワークのアクセスネットワークが、解放要求メッセージで「ハンドオーバによるトリガ指示子」ＩＥを運ぶ。
【０１３９】
ＰＳネットワークのモビリティ管理ネットワーク構成要素が、ＰＳネットワーク内のＵＥの資源を以下の手法のうちの１つにより処理することがある。
【０１４０】
１）  ＰＳネットワークのモビリティ管理ネットワーク構成要素が、暗黙のユーザ分離手順を開始して、ＵＥをＰＳネットワークから切り離す。ＵＥがネットワークから切り離されるときに、そのベアラがＰＳネットワークから削除される。
【０１４１】
２）  ＰＳネットワークのモビリティ管理ネットワーク構成要素が、ＵＥを切り離さない（すなわち、ＵＥのＭＭコンテキストを保持する）。ＧＢＲベアラについては、ＰＳネットワークのモビリティ管理ネットワーク構成要素が、ベアラ削除手順を開始して、そのベアラを削除する。そして、非ＧＢＲベアラについては、ＰＳネットワークのモビリティ管理ネットワーク構成要素が、そのベアラを保持するが、そのベアラを中断するようＳＧＷに指示する。ＰＳネットワークのモビリティ管理ネットワーク構成要素が、以下の方法でそのベアラを中断するようＳＧＷに指示することがある。
【０１４２】
ａ）  ＰＳネットワークのモビリティ管理ネットワーク構成要素が、ベアラ更新要求メッセージをＳＧＷに送信する。中断されるべきベアラ毎に、ベアラ更新要求メッセージが、ベアラのＩＤおよびベアラの状態を運ぶ。ＰＳネットワークのモビリティ管理ネットワーク構成要素が、そのベアラの状態を「中断」に設定する。
【０１４３】
ｂ）  ＰＳネットワークのモビリティ管理ネットワーク構成要素が、ベアラ中断要求メッセージをＳＧＷに送信する。中断されるべきベアラ毎に、ベアラ中断要求メッセージがベアラのＩＤを運ぶ。
【０１４４】
ベアラ中断の指示を受信した後に、ＳＧＷがベアラの状態を「中断」に設定する。そのベアラ上でダウンリンク・データ・パケットを受信した後に、ＳＧＷがページングをトリガしない。ＳＧＷが、ダウンリンク・データ・パケットをバッファに入れることも、ＳＧＷとダウンリンク・ユーザ・プレーン・ネットワーク構成要素の間の中断されたベアラにより使用された資源を解放することもある（たとえば、ＳＧＷが、中断されたベアラにより使用されたダウンリンクＴＥＩＤを解放する）。たとえば、Ｅ−ＵＴＲＡＮネットワークでは、ＳＧＷが、ＳＧＷとｅＮｏｄｅＢの間の資源を解放する。ＵＴＲＡＮネットワークでは、ＳＧＷが、ＳＧＷとＲＮＣまたは３Ｇ  ＳＧＳＮとの間の資源を解放する。そしてＧＥＲＡＮネットワークでは、ＳＧＷが、ＳＧＷと２Ｇ  ＳＧＳＮの間の資源を解放する。
【０１４５】
３）  ＰＳネットワークのモビリティ管理ネットワーク構成要素が、ＵＥを切り離さない（すなわち、ＵＥのＭＭコンテキストを保持する）。ＶｏＩＰベアラについては、ＰＳネットワークのモビリティ管理ネットワーク構成要素が、ベアラ削除手順を開始して、ベアラを削除する。そして、ベアラのその他の部分については、ＰＳネットワークのモビリティ管理ネットワーク構成要素が、そのベアラを保持するが、そのベアラを中断するようＳＧＷに指示する。
【０１４６】
４）  ＰＳネットワークのモビリティ管理ネットワーク構成要素が、ＵＥを切り離さない（すなわち、ＵＥのＭＭコンテキストを保持する）。そのベアラについては、ＰＳネットワークのモビリティ管理ネットワーク構成要素が、これらのベアラを保持するが、そのベアラを中断するようＳＧＷに指示する。ＰＳネットワークのモビリティ管理ネットワーク構成要素が、以下の方法でベアラを中断するようＳＧＷに指示することがある。
【０１４７】
ａ）  ＰＳネットワークのモビリティ管理ネットワーク構成要素が、ベアラ更新要求メッセージをＳＧＷに送信する。中断されるべきベアラ毎に、ベアラ更新要求メッセージが、そのベアラのＩＤおよびそのベアラの状態を運ぶ。ＰＳネットワークのモビリティ管理ネットワーク構成要素が、そのベアラの状態を「中断」に設定する。
【０１４８】
ｂ）  ＰＳネットワークのモビリティ管理ネットワーク構成要素が、ベアラ更新要求メッセージをＳＧＷに送信する。このメッセージが、ＵＥのＩＤおよびベアラの状態を運ぶ。ＰＳネットワークのモビリティ管理ネットワーク構成要素が、そのベアラの状態を「中断」に設定し、ＳＧＷが、ＵＥのすべてのベアラの状態を「中断」に設定する。
【０１４９】
ｃ）  ＰＳネットワークのモビリティ管理ネットワーク構成要素が、ベアラ中断要求メッセージをＳＧＷに送信する。中断されるべきベアラ毎に、ベアラ中断要求メッセージがそのベアラのＩＤを運ぶ。ベアラ中断要求メッセージを受信した後に、ＳＧＷがそのベアラのＩＤに対応するベアラの状態を「中断」に設定する。
【０１５０】
ｄ）  ＰＳネットワークのモビリティ管理ネットワーク構成要素が、ベアラ中断要求メッセージをＳＧＷに送信する。このメッセージがＵＥのＩＤを運ぶ。ベアラ中断要求メッセージを受信した後に、ＳＧＷが、ＵＥのすべてのベアラの状態を「中断」に設定する。
【０１５１】
注：  ＰＳネットワークのモビリティ管理ネットワーク構成要素はまた、ＵＥのすべてのベアラを中断するようＳＧＷに指示することもある。そして、ＰＳネットワークのモビリティ管理ネットワーク構成要素が、種々のベアラ種別に従って、ベアラの一部（たとえば、非ＧＢＲベアラ）を保持し、かつベアラ削除手順を開始してベアラのその他の部分（たとえば、ＧＢＲベアラまたはＶｏＩＰベアラ）を削除する。または、
【０１５２】
ＰＳネットワークのモビリティ管理ネットワーク構成要素が、種々のベアラ種別に従って、ベアラの一部を削除し、かつベアラのその他の部分（たとえば、非ＧＢＲベアラ）を保持し、保持されたベアラを中断するようＳＧＷに指示する。そして、ＳＧＷが、ベアラ中断メッセージを受信した後に、保持されたベアラを中断し、保持されていないベアラを削除する（すなわち、たとえば、ＳＧＷがＧＢＲベアラまたはＶｏＩＰベアラを削除するなど、ＳＧＷが保持されていないベアラを削除する）。または、
【０１５３】
ＰＳネットワークのモビリティ管理ネットワーク構成要素が、種々のベアラ種別に従って、ベアラの一部を削除し、かつベアラのその他の部分（たとえば、非ＧＢＲベアラ）を保持し、ベアラを中断するようＳＧＷに指示する（手法４に説明されているように、ＰＳネットワークのモビリティ管理ネットワーク構成要素がベアラ中断要求メッセージをＳＧＷに送信し、ベアラ中断要求メッセージがＵＥのＩＤを運ぶ）。そして、ＳＧＷが、ベアラ中断メッセージを受信した後に、保持されたベアラ（たとえば、非ＧＢＲベアラ）を中断し、保持されていないベアラを削除する（すなわち、たとえば、ＳＧＷがＧＢＲベアラまたはＶｏＩＰベアラを削除するなど、ＳＧＷが中断されていないベアラを削除する）。または、
【０１５４】
ＰＳネットワークのモビリティ管理ネットワーク構成要素が、種々のベアラ種別に従って、ベアラの一部を削除し、かつベアラのその他の部分を保持し、保持されたベアラを中断し、保持されていないベアラを削除するようＳＧＷに指示する。以下の４つの方法のうちの１つが使用されることがある。
【０１５５】
方法１：  ＰＳネットワークのモビリティ管理ネットワーク構成要素が、ベアラ更新要求メッセージをＳＧＷに送信する。ベアラ更新要求メッセージが、ベアラの状態だけでなく、中断されるべきベアラのＩＤおよび削除されるべきベアラのＩＤも含む。中断されるべきベアラの状態が「中断」に設定され、削除されるべきベアラの状態が「削除」に設定される。ベアラ更新要求メッセージを受信した後に、ＳＧＷが、中断されるべきベアラのＩＤに対応するベアラを中断し、削除されるべきベアラのＩＤに対応するベアラを削除する。
【０１５６】
方法２：  ＰＳネットワークのモビリティ管理ネットワーク構成要素が、ベアラ更新要求メッセージをＳＧＷに送信する。ベアラ更新要求メッセージが、中断されるべきベアラのＩＤからなる中断リスト、および削除されるべきベアラのＩＤからなる削除リストを含む。ベアラ更新要求メッセージを受信した後に、ＳＧＷが、中断リストに対応するベアラを中断し、削除リストに対応するベアラを削除する。
【０１５７】
方法３：  ＰＳネットワークのモビリティ管理ネットワーク構成要素が、ベアラ中断要求メッセージをＳＧＷに送信する。ベアラ中断要求メッセージが、中断されるべきベアラのＩＤ、および削除されるべきベアラのＩＤからなる削除リストを含む。ベアラ中断要求メッセージを受信した後に、ＳＧＷが、中断されるべきベアラのＩＤに対応するベアラの状態を「中断」に設定し、削除リストに対応するベアラを削除する。
【０１５８】
方法４：  ＰＳネットワークのモビリティ管理ネットワーク構成要素が、ベアラ中断要求メッセージをＳＧＷに送信する。ベアラ中断要求メッセージが、ＵＥのＩＤ、および削除されるべきベアラのＩＤからなる削除リストを含む。ベアラ中断要求メッセージを受信した後に、ＳＧＷが、削除リストに対応するベアラを削除し、ベアラのその他の部分を中断する。
【０１５９】
この通信システムが、ＰＳネットワークのモビリティ管理ネットワーク構成要素と対話し、かつＵＥをハンドオーバするのに必要な無線資源を提供し、かつＵＥのハンドオーバが完了した後に、ハンドオフ完了メッセージをＰＳネットワークのモビリティ管理ネットワーク構成要素に送信するように適合されたＣＳネットワークをさらに含むことがある。ＰＳネットワークのモビリティ管理ネットワーク構成要素が、ＰＳネットワークのアクセスネットワークを介してハンドオフ完了メッセージをＵＥに送信する。具体的な実施形態が、図７および図８に対応する実施形態を参照して、以下に説明される。
【０１６０】
本発明の実施形態により提供される通信システムにより、ＰＳネットワークのアクセスネットワークが、解放要求メッセージをＰＳネットワークのモビリティ管理ネットワーク構成要素に送信し、ＰＳネットワークのモビリティ管理ネットワーク構成要素が、ＰＳネットワークのアクセスネットワークにより送信される解放要求メッセージを受信すると、ＰＳネットワーク内のＵＥの資源の処理を開始し、その結果、ＵＥがＰＳネットワークからＣＤＭＡ２０００  １ｘネットワークにハンドオーバされたときに、ＰＳネットワーク内のＵＥの資源の処理が達成される。
【０１６１】
図１１は、本発明の別の実施形態による通信システムの構造図である。図１１を参照すると、この通信システムは、ＰＳネットワーク内のモビリティ管理ネットワーク構成要素１１１、およびＣＳネットワーク１１３を含む。ＵＥが、ＰＳネットワークからＣＳネットワークにハンドオーバされるときに、ＣＳネットワーク１１３が、ハンドオフ完了メッセージをＰＳネットワークのモビリティ管理ネットワーク構成要素に送信するように適合されている。そして、ＰＳネットワーク内のモビリティ管理ネットワーク構成要素１１１が、ＣＳネットワークにより送信されるハンドオフ完了メッセージを受信し、かつハンドオフ完了メッセージを受信した後に、ＰＳネットワーク内のＵＥの資源を処理するように適合されている。
【０１６２】
ＧＥＲＡＮ／ＵＴＲＡＮネットワークでは、ＰＳネットワークのモビリティ管理ネットワーク構成要素がＳＧＳＮのことがある。そして、Ｅ−ＵＴＲＡＮでは、ＰＳネットワークのモビリティ管理ネットワーク構成要素がＭＭＥのことがある。ＣＳネットワークは、ＣＤＭＡ２０００  １ｘネットワークでも、ＧＳＭ  ＣＳネットワークでも、同種のネットワークでもよい。
【０１６３】
ＵＥをＰＳネットワークからＣＳネットワークにハンドオーバするための具体的な手順は、図９の方法の実施形態に示されているが、その詳細を本明細書で再度説明しないものとする。この場合、ＰＳネットワークのモビリティ管理ネットワーク構成要素が、ハンドオフ完了メッセージを受信した後に、ＰＳネットワーク内のＵＥの資源を処理する。
【０１６４】
さらに、この通信システムは、ＣＳネットワークとＰＳネットワークの間のＩＷＳネットワーク構成要素をさらに含むことがあり、ＣＳネットワークが、アクセスネットワーク構成要素、およびモビリティ管理ネットワーク構成要素をさらに含むことがある。たとえば、ＣＤＭＡ２０００  １ｘネットワークでは、アクセスネットワーク構成要素が１ｘ  ＣＳアクセスネットワーク構成要素のことがあり、モビリティ管理ネットワーク構成要素が１ｘ  ＣＳ  ＭＳＣのことがある。
【０１６５】
１ｘ  ＣＳ  ＭＳＣからの１ｘ  ＣＳシグナリングをカプセル化し、かつＰＳネットワークを介して、カプセル化された１ｘ  ＣＳシグナリングをＵＥに送信するために、ＩＷＳネットワーク構成要素が、１ｘ  ＣＳシグナリングの交換および転送の機能を主に実装する。または、ＵＥが、ＰＳネットワークを介して、カプセル化された１ｘ  ＣＳシグナリングをＩＷＳに送信し、ＩＷＳが、カプセル化された１ｘ  ＣＳシグナリングを１ｘＣＳ  ＭＳＣに転送する。具体的実施形態では、ＩＷＳが、独立したネットワーク構成要素のことも、ネットワーク内の他のネットワーク構成要素と統合されて、統合されたネットワーク構成要素を形成することもあり、これらのネットワーク構成要素が、具体的に以下の状況を含むことがある。
【０１６６】
１．  ＩＷＳネットワーク構成要素が、ＣＳネットワークのアクセスネットワーク構成要素と統合されている場合、統合されたネットワーク構成要素が、ＵＥにより送信されるハンドオフ完了メッセージを受信した後に、ハンドオフ完了メッセージをＰＳネットワークのモビリティ管理ネットワーク構成要素に送信するように適合されている。
【０１６７】
２．  ＩＷＳネットワーク構成要素が、ＰＳネットワークのモビリティ管理ネットワーク構成要素と統合されている場合、ＣＳネットワークのアクセスネットワーク構成要素が、ハンドオフ完了メッセージをＣＳネットワークのモビリティ管理ネットワーク構成要素に送信するように適合されている。そして、ＣＳネットワークのモビリティ管理ネットワーク構成要素が、ＣＳネットワークのアクセスネットワーク構成要素により送信されるハンドオフ完了メッセージを受信した後に、クリア指令メッセージを統合されたネットワーク構成要素に送信するように適合されている。
【０１６８】
３．  ＣＳネットワークとＰＳネットワークの間のＩＷＳが、独立したネットワーク構成要素の場合、ＣＳネットワークのアクセスネットワーク構成要素が、ハンドオフ完了メッセージをＣＳネットワークのモビリティ管理ネットワーク構成要素に送信するように適合されている。ＣＳネットワークのモビリティ管理ネットワーク構成要素が、ＣＳネットワークのアクセスネットワーク構成要素により送信されるハンドオフ完了メッセージを受信した後に、クリア指令メッセージをＩＷＳに送信するように適合されている。そして、ＩＷＳネットワーク構成要素が、ＣＳネットワークのモビリティ管理ネットワーク構成要素により送信されるクリア指令メッセージを受信した後に、ハンドオフ完了メッセージをＰＳネットワークのモビリティ管理ネットワーク構成要素に送信するように適合されている。
【０１６９】
４．  ＩＷＳが、ＣＳネットワークのモビリティ管理ネットワーク構成要素と統合されている場合、統合されたネットワーク構成要素が、ＣＳネットワークのアクセスネットワーク構成要素により送信されるハンドオフ完了メッセージを受信した後に、ハンドオフ完了メッセージをＰＳネットワークのモビリティ管理ネットワーク構成要素に送信するように適合されている。
【０１７０】
ハンドオフ完了メッセージを受信した後にＰＳネットワーク内のＵＥの資源を処理するために、ＰＳネットワークのモビリティ管理ネットワーク構成要素により使用されるこの方法は、前の実施形態でＰＳネットワークのモビリティ管理ネットワーク構成要素により使用される方法と同じであり、その詳細を本明細書で再度説明しないものとする。
【０１７１】
図１２は、本発明の一実施形態による、ＰＳネットワーク内のモビリティ管理ネットワーク構成要素の構造図である。図１２を参照すると、このモビリティ管理ネットワーク構成要素は、受信ユニット１２１および資源処理ユニット１２３を含む。受信ユニット１２１は、ＵＥがＰＳネットワークからＣＳネットワークにハンドオーバされるときに、ＰＳネットワークのアクセスネットワークにより送信される解放要求メッセージ、またはＣＳネットワークにより送信されるハンドオフ完了メッセージを受信するように適合されている。資源処理ユニット１２３は、受信ユニット１２１が、ＰＳネットワークのアクセスネットワークにより送信される解放要求メッセージ、またはＣＳネットワークにより送信されるハンドオフ完了メッセージを受信した後に、ＰＳネットワーク内のＵＥの資源を処理するように適合されている。
【０１７２】
ＧＥＲＡＮ／ＵＴＲＡＮネットワークでは、ＰＳネットワークのモビリティ管理ネットワーク構成要素がＳＧＳＮのことがある。そして、Ｅ−ＵＴＲＡＮでは、ＰＳネットワークのモビリティ管理ネットワーク構成要素がＭＭＥのことがある。
【０１７３】
ＵＥをＰＳネットワークからＣＳネットワークにハンドオーバするための具体的手順は、図７、図８、および図９の方法の実施形態に示されるとおりであり、その詳細を本明細書で再度説明しないものとする。
【０１７４】
図１３は、本発明の別の実施形態による、ＰＳネットワーク内のモビリティ管理ネットワーク構成要素の構造図である。図１３を参照すると、このモビリティ管理ネットワーク構成要素は、受信ユニット１２１および資源処理ユニット１２３を含む。図１２に対応する実施形態に基づき、受信ユニット１２１が、第１の受信モジュール１２１１および／または第２の受信モジュール１２１３をさらに含むことがある。
【０１７５】
第１の受信モジュール１２１１が、ＵＥがＰＳネットワークからＣＳネットワークにハンドオーバされるときに、ＰＳネットワークのアクセスネットワークにより送信される解放要求メッセージを受信するように適合されている。解放要求メッセージは、ＵＥをＣＳネットワークにハンドオーバすることにより解放要求が引き起こされたことを示すように適合された指示情報を含むことがある。たとえば、解放要求メッセージが「原因」ＩＥを運び、そのＩＥの値が「ハンドオーバによるトリガ」に設定される、または解放要求メッセージが「ハンドオーバによるトリガ指示子」ＩＥを運ぶ。ＰＳネットワークのアクセスネットワークにより送信される解放要求メッセージを受信した後に、ＵＥをＣＳネットワークにハンドオーバすることにより解放要求が引き起こされたことを示す指示情報をこのメッセージが運ぶと、第１の受信モジュール１２１１が判断した場合、第１の受信モジュール１２１１が、ＰＳネットワーク内のＵＥの資源を処理するよう資源処理ユニット１２３に通知することがある。
【０１７６】
第２の受信モジュール１２１３が、ＵＥがＰＳネットワークからＣＳネットワークにハンドオーバされるときに、ＣＳネットワークにより送信されるハンドオフ完了メッセージを受信するように適合され、このとき、具体的には以下の状況を含む。
【０１７７】
１．  ＣＳネットワークとＰＳネットワークの間のＩＷＳネットワーク構成要素が、ＣＳネットワークのアクセスネットワーク構成要素と統合されている場合、第２の受信モジュール１２１３が、ＣＳネットワークのアクセスネットワーク構成要素により送信されるハンドオフ完了メッセージを受信するように適合されている。
【０１７８】
２．  ＣＳネットワークとＰＳネットワークの間のＩＷＳネットワーク構成要素が、ＰＳネットワークのモビリティ管理ネットワーク構成要素と統合されている場合、第２の受信モジュール１２１３が、ＣＳネットワークのモビリティ管理ネットワーク構成要素により送信されるクリア指令メッセージを受信するように適合されている。
【０１７９】
３．  ＣＳネットワークとＰＳネットワークの間のＩＷＳが、独立したネットワーク構成要素である場合、第２の受信モジュール１２１３が、ＩＷＳネットワーク構成要素により送信されるハンドオフ完了メッセージを受信するように適合され、ＩＷＳネットワーク構成要素が、ＣＳネットワークのモビリティ管理ネットワーク構成要素により送信されるクリア指令メッセージを受信した後に、ハンドオフ完了メッセージを第２の受信モジュール１２１３に送信する。
【０１８０】
４．  ＣＳネットワークとＰＳネットワークの間のＩＷＳネットワーク構成要素が、ＣＳネットワークのモビリティ管理ネットワーク構成要素と統合されている場合、第２の受信モジュール１２１３が、ＣＳネットワークのモビリティ管理ネットワーク構成要素により送信されるハンドオフ完了メッセージを受信するように適合されている。
【０１８１】
ＣＳネットワークにより送信されるハンドオフ完了メッセージを受信した後に、第２の受信モジュール１２１３が、ＰＳネットワーク内のＵＥの資源を処理するよう資源処理ユニット１２３に通知することがある。
【０１８２】
さらに、資源処理ユニット１２３が、
暗黙のユーザ分離手順を開始してＵＥをＰＳネットワークから切り離すように適合された、第１の資源処理モジュール１２３１と、
ＰＳネットワーク内のＵＥのすべてのベアラを保持し、かつそのベアラを中断するようＳＧＷに指示するように適合された、第２の資源処理モジュール１２３３と、
ベアラ削除手順を開始して、種々のベアラ種別に従って、ベアラ種別の一部に対応するベアラを削除し、かつその他のベアラ種別に対応するベアラを保持し、保持されたベアラを中断するようＳＧＷに指示するように適合された、第３の資源処理モジュール１２３５と、のうちの少なくとも１つを具体的に含むことがある。たとえば、ＧＢＲベアラについては、第３の資源処理モジュール１２３５が、ベアラ削除手順を開始して、ベアラを削除する。そして、非ＧＢＲベアラについては、第３の資源処理モジュール１２３５が、非ＧＢＲベアラを保持し、非ＧＢＲベアラを中断するようＳＧＷに指示する。
【０１８３】
あるいは、ＶｏＩＰベアラについては、第３の資源処理モジュール１２３５が、ベアラ削除手順を開始して、ベアラを削除する。そして、ＶｏＩＰベアラ以外のベアラについては、第３の資源処理モジュール１２３５が、ＶｏＩＰベアラ以外のベアラを保持し、ＶｏＩＰベアラ以外のベアラを中断するようＳＧＷに指示する。この方法では、ＰＳネットワーク内のＵＥの元々の音声ベアラが早めに解放されることがあり、他の非音声ベアラが、保持されかつ中断されることがある。したがって、ＵＥが、ＰＳネットワークに戻ってきた後に、サービスをそのユーザに連続して提供することができる。
【０１８４】
本発明のこの実施形態では、資源処理ユニットが、
種々のベアラ種別に従ってベアラの一部を削除しベアラを保持し、かつ保持されたベアラを中断するようＳＧＷに指示するように適合された、第４の資源処理モジュールと、
ＵＥのすべてのベアラを中断するようＳＧＷに指示し、かつ種々のベアラ種別に従って、ベアラの一部を保持しベアラ削除手順を開始してベアラの他の部分を削除するように適合された、第５の資源処理モジュールと、
ＵＥのすべてのベアラを中断するようＳＧＷに指示し、かつ種々のベアラ種別に従ってベアラの一部を削除しベアラのその他の部分を保持するように適合された、第６の資源処理モジュールと、
種々のベアラ種別に従ってベアラの一部を削除しベアラのその他の部分を保持し、かつ保持されたベアラを中断し保持されていないベアラを削除するようＳＧＷに指示する、第７の資源処理モジュールと、
のうちの少なくとも１つをさらに含む、またはこれらのモジュールと、第１の資源処理モジュール、第２の資源処理モジュール、および第３の資源処理モジュールとの様々な組合せを含むことがある。
【０１８５】
資源処理モジュール１２３はまた、第１のベアラ中断モジュール１２３７と、第２のベアラ中断モジュール１２３９と、第３のベアラ中断モジュール１２４１と、第４のベアラ中断モジュール１２４３とのうちの少なくとも１つをさらに含むこともある。第２の資源処理モジュール１２３３、第３の資源処理モジュール１２３５、または第４の資源処理モジュールが、中断されるべきベアラのＩＤを第１のベアラ中断モジュール１２３７、または第２のベアラ中断モジュール１２３９に送信することがある。あるいは、第２の資源処理モジュール１２３３、第４の資源処理モジュール、または第６の資源処理モジュールが、ＵＥのＩＤを第３のベアラ中断モジュール１２４１、または第４のベアラ中断モジュール１２４３に送信して、ＵＥのすべてのベアラを中断するよう指示する。第１のベアラ中断モジュール１２３７が、中断されるべきベアラのＩＤを受信し、かつベアラ更新要求メッセージをＳＧＷに送信するように適合されている。ベアラ更新要求メッセージが、中断されるべきベアラのＩＤおよびそのベアラの状態を含み、そのベアラの状態が「中断」に設定される。
【０１８６】
第２のベアラ中断モジュールが、中断されるべきベアラのＩＤを受信し、かつベアラ中断要求メッセージをＳＧＷに送信するように適合されている。ベアラ中断要求メッセージが、中断されるべきベアラのＩＤを含み、ベアラ中断要求メッセージが、そのベアラのＩＤに対応するベアラの状態を「中断」に設定するようＳＧＷに指示するように適合されている。
【０１８７】
第３のベアラ中断モジュールが、中断されるべきＵＥのＩＤを受信し、かつベアラ更新要求メッセージをＳＧＷに送信するように適合されている。ベアラ更新要求メッセージが、ＵＥのＩＤおよびベアラの状態を含み、そのベアラの状態が「中断」に設定され、ベアラ更新要求メッセージが、ＵＥのすべてのベアラの状態を「中断」に設定するようＳＧＷに指示するように適合されている。
【０１８８】
第４のベアラ中断モジュールが、中断されるべきＵＥのＩＤを受信し、かつベアラ中断要求メッセージをＳＧＷに送信するように適合されている。ベアラ中断要求メッセージが、ＵＥのＩＤを含み、ベアラ中断要求メッセージが、ＵＥのすべてのベアラの状態を「中断」に設定するようＳＧＷに指示するように適合されている。
【０１８９】
第７の資源処理モジュールが、
ベアラの状態だけでなく、中断されるべきベアラのＩＤおよび削除されるべきベアラのＩＤを含み、中断されるべきベアラの状態が「中断」に設定され、削除されるべきベアラの状態が「削除」に設定されるベアラ更新要求メッセージをＳＧＷに送信するように適合された第１の処理サブユニットと、
中断されるべきベアラのＩＤからなる中断リスト、および削除されるべきベアラのＩＤからなる削除リストを含むベアラ更新要求メッセージをＳＧＷに送信するように適合された第２の処理サブユニットと、
ベアラ中断要求メッセージが、中断されるべきベアラのＩＤからなる中断リスト、および削除されるべきベアラのＩＤからなる削除リストを含むベアラ中断要求メッセージをＳＧＷに送信するように適合された第３の処理サブユニットと、
ＵＥのＩＤ、ならびに、削除されるべきベアラのＩＤからなる削除リストを運ぶベアラ中断要求メッセージをＳＧＷに送信するように適合された第４の処理サブユニットと、
のうちの少なくとも１つをさらに含むことがある。
【０１９０】
ＳＧＷがベアラを中断した後に、ＳＧＷが、中断されたベアラ上のダウンリンク・データ・パケットを引き続き受信するが、ページングはトリガしない。ＳＧＷが、これらのダウンリンク・データ・パケットをバッファに入れることがあり、たとえば、中断されたベアラにより使用されたダウンリンクＴＥＩＤを解放するなど、ＳＧＷとダウンリンク・ユーザ・プレーン・ネットワーク構成要素の間の、中断されたベアラにより使用された資源を解放することもある。たとえば、Ｅ−ＵＴＲＡＮネットワークでは、ＳＧＷが、ＳＧＷとｅＮｏｄｅＢの間の資源を解放する。ＵＴＲＡＮネットワークでは、ＳＧＷが、ＳＧＷとＲＮＣまたは３Ｇ  ＳＧＳＮとの間の資源を解放する。そして、ＧＥＲＡＮネットワークでは、ＳＧＷが、ＳＧＷと２Ｇ  ＳＧＳＮの間の資源を解放する。
【０１９１】
本発明のこの実施形態により提供されるＰＳネットワーク内のモビリティ管理ネットワーク構成要素により、ＵＥがＰＳネットワークからＣＳネットワークにハンドオーバされるときに、受信ユニット１２１が、ＰＳネットワークのアクセスネットワークにより送信される解放要求メッセージまたはＣＳネットワークにより送信されるハンドオフ完了メッセージを受信し、受信ユニット１２１がＰＳネットワークのアクセスネットワークにより送信される解放要求メッセージまたはＣＳネットワークにより送信されるハンドオフ完了メッセージを受信した後に、資源処理ユニット１２３がＰＳネットワーク内のＵＥの資源を処理し、その結果、ＵＥがＰＳネットワークからＣＳネットワークにハンドオーバされるときに、ＰＳネットワーク内のＵＥの資源の処理が達成される。
【０１９２】
実施形態についての上記の説明により、本発明が、必要な汎用ハードウェアプラットフォーム上のソフトウェアにより実装されることがあり、明らかにハードウェアにより実現されることもあることが、当業者には明らかである。しかし、多くの場合、前者がより好ましい。したがって、本発明の技術的解決策または従来技術に寄与する部分を、実質的にソフトウェア製品の形で提供することができる。このコンピュータソフトウェア製品は、コンピュータのフロッピー（登録商標）ディスク、ハードディスク、または光ディスクなどの読出し可能記憶媒体中に記憶され、本発明の実施形態で説明された方法を実行するようコンピュータ装置（たとえば、パーソナルコンピュータ、サーバ、またはネットワーク装置）に指令する命令を含む。
【０１９３】
上記の説明は、あくまでも本発明の技術的解決策の好ましい実施形態であって、本発明の保護範囲を限定することを意図したものではない。本発明の原理を逸脱しないいかなる修正、均等な置き換え、および改良も、本発明の範囲の中に入るものとする。
【符号の説明】
【０１９４】
１０１  ＰＳネットワークのモビリティ管理ネットワーク構成要素
１０３  ＰＳネットワークのアクセスネットワーク
１１１  ＰＳネットワークのモビリティ管理ネットワーク構成要素
１１３  ＣＳネットワーク
１２１  受信ユニット
１２３  資源処理ユニット
１２１１  第１の受信モジュール
１２１３  第２の受信モジュール
１２３１  第１の資源処理モジュール
１２３３  第２の資源処理モジュール
１２３５  第３の資源処理モジュール
１２３７  第１のベアラ中断モジュール
１２３９  第２のベアラ中断モジュール
１２４１  第３のベアラ中断モジュール
１２４３  第４のベアラ中断モジュール
【図１】
2011504715.tif 000003
【図２】
2011504715.tif 000004
【図３】
2011504715.tif 000005
【図４】
2011504715.tif 000006
【図５】
2011504715.tif 000007
【図６】
2011504715.tif 000008
【図７】
2011504715.tif 000009
【図８】
2011504715.tif 000010
【図９】
2011504715.tif 000011
【図１０】
2011504715.tif 000012
【図１１】
2011504715.tif 000013
【図１２】
2011504715.tif 000014
【図１３】
2011504715.tif 000015
【手続補正書】
【提出日】平成22年5月26日(2010.5.26)
【手続補正１】
【補正対象書類名】明細書
【補正対象項目名】００５３
【補正方法】変更
【補正の内容】
【００５３】
ステップ４４で、ＰＳネットワークのモビリティ管理ネットワーク構成要素が、ＰＳネットワーク内のＵＥの資源を処理する。
【手続補正２】
【補正対象書類名】明細書
【補正対象項目名】０１０５
【補正方法】変更
【補正の内容】
【０１０５】
ステップ７９で、ＰＳネットワークのアクセスネットワークが、ＲＲＣ解放要求メッセージを受信した後に、解放要求メッセージをＰＳネットワークのモビリティ管理ネットワーク構成要素に送信する。Ｅ−ＵＴＲＡＮネットワークでは、解放要求メッセージがＳ１  ＵＥコンテキスト解放要求メッセージであり、ＵＴＲＡＮ／ＧＥＲＡＮネットワークでは、解放要求メッセージがＩｕ解放要求メッセージである。ＰＳネットワークのアクセスネットワークが、解放要求メッセージで指示情報を運び、その指示情報が、ＵＥをハンドオーバすることにより解放要求が引き起こされたことをＰＳネットワークのモビリティ管理ネットワーク構成要素に指示するように適合されている。たとえば、ＰＳネットワークのアクセスネットワークが、解放要求メッセージで「原因」ＩＥを運び、そのＩＥの値が「ハンドオーバによるトリガ」に設定される。または、ＰＳネットワークのアクセスネットワークが、解放要求メッセージで「ハンドオーバによるトリガ指示子」ＩＥを運ぶ。
【手続補正３】
【補正対象書類名】特許請求の範囲
【補正対象項目名】全文
【補正方法】変更
【補正の内容】
【特許請求の範囲】
【請求項１】
資源を処理する方法であって、ユーザ装置（ＵＥ）がパケット交換（ＰＳ）ネットワークから回線交換（ＣＳ）ネットワークにハンドオーバされるときに、前記ＰＳネットワークのモビリティ管理ネットワーク構成要素が、前記ＰＳネットワークのアクセスネットワークにより送信される解放要求メッセージ、または前記ＣＳネットワークにより送信されるハンドオフ完了メッセージを受信するステップと、次に、前記ＰＳネットワーク内の前記ＵＥの資源を処理するステップとを含む方法。
【請求項２】
前記ＰＳネットワークの前記モビリティ管理ネットワーク構成要素が、前記ＰＳネットワークの前記アクセスネットワークにより送信される前記解放要求メッセージを受信する前記ステップの前に、
前記ＰＳネットワークの前記モビリティ管理ネットワーク構成要素により送信されるハンドオフ指示メッセージを受信した後に、前記ＰＳネットワークの前記アクセスネットワークが、前記解放要求メッセージを前記ＰＳネットワークの前記モビリティ管理ネットワーク構成要素に送信するステップ、
をさらに含む請求項１に記載の方法。
【請求項３】
前記ＰＳネットワークの前記モビリティ管理ネットワーク構成要素が、前記ＰＳネットワークの前記アクセスネットワークにより送信される前記解放要求メッセージを受信する前記ステップの前に、
前記ＵＥがハンドオフ指示メッセージを受信した後に前記ＵＥにより前記ＰＳネットワークの前記アクセスネットワークに送信される無線資源制御（ＲＲＣ）解放要求メッセージを受信した後に、前記ＰＳネットワークの前記アクセスネットワークが、前記解放要求メッセージを前記ＰＳネットワークの前記モビリティ管理ネットワーク構成要素に送信するステップ、
をさらに含む請求項１に記載の方法。
【請求項４】
前記ＵＥにより送信され、前記ＰＳネットワークの前記アクセスネットワークにより受信される前記ＲＲＣ解放要求メッセージは、前記ＵＥを前記ＣＳネットワークにハンドオーバすることにより前記ＲＲＣ解放要求が引き起こされたことを示す指示情報をさらに含む、請求項３に記載の方法。
【請求項５】
前記ＰＳネットワークの前記モビリティ管理ネットワーク構成要素により受信される前記解放要求メッセージは、前記ＵＥを前記ＣＳネットワークにハンドオーバすることにより前記解放要求が引き起こされたことを示す指示情報をさらに含み、前記ＰＳネットワークの前記モビリティ管理ネットワーク構成要素は、前記指示情報に従って、前記ＰＳネットワーク内の前記ＵＥの前記資源を処理する、請求項１に記載の方法。
【請求項６】
前記ＰＳネットワークの前記モビリティ管理ネットワーク構成要素が、前記ＣＳネットワークにより送信される前記ハンドオフ完了メッセージを受信する前記ステップは、
前記ＣＳネットワークと前記ＰＳネットワークの間のインタワーキングソリューション機能（ＩＷＳ）ネットワーク構成要素が前記ＣＳネットワークのアクセスネットワーク構成要素と統合されている場合、前記ＵＥにより送信される前記ハンドオフ完了メッセージを受信した後に、前記ＣＳネットワークの前記アクセスネットワーク構成要素により、前記ハンドオフ完了メッセージを前記ＰＳネットワークの前記モビリティ管理ネットワーク構成要素に送信するステップ、または
前記ＣＳネットワークと前記ＰＳネットワークの間の前記ＩＷＳネットワーク構成要素が前記ＰＳネットワークの前記モビリティ管理ネットワーク構成要素と統合されている場合、前記ＣＳネットワークのアクセスネットワークにより送信される前記ハンドオフ完了メッセージを受信した後に、前記ＣＳネットワークのモビリティ管理ネットワーク構成要素により、クリア指令メッセージを前記ＰＳネットワークの前記モビリティ管理ネットワーク構成要素に送信するステップ、または
前記ＣＳネットワークと前記ＰＳネットワークの間の前記ＩＷＳが独立したネットワーク構成要素である場合、前記ＣＳネットワークのアクセスネットワーク構成要素により送信される前記ハンドオフ完了メッセージを受信した後に、前記ＣＳネットワークのモビリティ管理ネットワーク構成要素により、クリア指令メッセージを前記ＩＷＳネットワーク構成要素に送信し、前記ＩＷＳネットワーク構成要素により、前記ハンドオフ完了メッセージを前記ＰＳネットワークの前記モビリティ管理ネットワーク構成要素に送信するステップ、または
前記ＣＳネットワークと前記ＰＳネットワークの間の前記ＩＷＳネットワーク構成要素が前記ＣＳネットワークのモビリティ管理ネットワーク構成要素と統合されている場合、前記ＣＳネットワークのアクセスネットワーク構成要素により送信される前記ハンドオフ完了メッセージを受信した後に、前記ＣＳネットワークの前記モビリティ管理ネットワーク構成要素により、前記ハンドオフ完了メッセージを前記ＰＳネットワークの前記モビリティ管理ネットワーク構成要素に送信するステップ、
を具体的に含む請求項１に記載の方法。
【請求項７】
前記ＰＳネットワークの前記モビリティ管理ネットワーク構成要素により、前記ＰＳネットワーク内の前記ＵＥの前記資源を処理する前記ステップは、
前記ＰＳネットワークの前記モビリティ管理ネットワーク構成要素により、暗黙のユーザ分離手順を開始して、前記ＵＥを前記ＰＳネットワークから切り離すステップ、または
前記ＰＳネットワークの前記モビリティ管理ネットワーク構成要素により、前記ＰＳネットワーク内の前記ＵＥのすべてのベアラを保持し、前記ベアラを中断するようサービングゲートウェイ（ＳＧＷ）に指示するステップ、または
前記ＰＳネットワークの前記モビリティ管理ネットワーク構成要素により、種々のベアラ種別に従って、ベアラの一部を削除し、かつベアラのその他の部分を中断するステップ、
を含む請求項１に記載の方法。
【請求項８】
前記ＰＳネットワークの前記モビリティ管理ネットワーク構成要素により、前記種々のベアラ種別に従って、前記ベアラの一部を削除し、かつベアラのその他の部分を中断する前記ステップは、
前記ＰＳネットワークの前記モビリティ管理ネットワーク構成要素により、前記種々のベアラ種別に従って、ベアラ削除手順を開始して前記ベアラの一部を削除し、かつベアラのその他の部分を保持し、前記保持されたベアラを中断するよう前記ＳＧＷに指示するステップ、または
前記ＰＳネットワークの前記モビリティ管理ネットワーク構成要素により、前記ＵＥのすべてのベアラを中断するよう前記ＳＧＷに指示し、前記ＰＳネットワークの前記モビリティ管理ネットワーク構成要素により、前記種々のベアラ種別に従って、前記ベアラの一部を保持し、かつベアラ削除手順を開始してベアラのその他の部分を削除するステップ、または
前記ＰＳネットワークの前記モビリティ管理ネットワーク構成要素により、前記種々のベアラ種別に従って、前記ベアラの一部を削除し、かつベアラのその他の部分を保持し、前記保持されたベアラを中断するよう前記ＳＧＷに指示し、前記ＳＧＷにより前記保持されたベアラを中断し、前記保持されていないベアラを削除するステップ、または
前記ＰＳネットワークの前記モビリティ管理ネットワーク構成要素により、前記種々のベアラ種別に従って、前記ベアラの一部を削除し、かつベアラのその他の部分を保持し、前記ＵＥのすべてのベアラを中断するよう前記ＳＧＷに指示するステップと、ベアラ中断メッセージを受信した後に、前記種々のベアラ種別に従って、前記ＳＧＷにより前記ベアラの一部を削除し、かつベアラのその他の部分を保持するステップ、または
前記ＰＳネットワークの前記モビリティ管理ネットワーク構成要素により、前記種々のベアラ種別に従って、前記ベアラの一部を削除し、かつベアラのその他の部分を保持し、前記保持されたベアラを中断し、かつ前記保持されていないベアラを削除するよう前記ＳＧＷに指示するステップ、
を含む請求項７に記載の方法。
【請求項９】
前記ＰＳネットワークの前記モビリティ管理ネットワーク構成要素により、前記ベアラを中断するよう前記ＳＧＷに指示する前記ステップは、
前記ＰＳネットワークの前記モビリティ管理ネットワーク構成要素により、中断されるべきベアラのＩＤおよび前記ベアラの状態を含み、前記ベアラの前記状態が「中断」に設定されるベアラ更新要求メッセージを、前記ＳＧＷに送信するステップ、または
前記ＰＳネットワークの前記モビリティ管理ネットワーク構成要素により、中断されるべきベアラのＩＤを含むベアラ中断要求メッセージを前記ＳＧＷに送信し、前記ベアラ中断要求メッセージを受信した後に、前記ＳＧＷにより前記ベアラの前記ＩＤに対応する前記ベアラの状態を「中断」に設定するステップ、または
前記ＰＳネットワークの前記モビリティ管理ネットワーク構成要素により、前記ＵＥのＩＤおよびベアラの状態を含み、前記ベアラの前記状態が「中断」に設定されるベアラ更新要求メッセージを、前記ＳＧＷに送信し、前記ＳＧＷにより前記ＵＥのすべてのベアラの前記状態を「中断」に設定するステップ、または
前記ＰＳネットワークの前記モビリティ管理ネットワーク構成要素により、前記ＵＥのＩＤを含むベアラ中断要求メッセージを前記ＳＧＷに送信し、前記ベアラ中断要求メッセージを受信した後に、前記ＳＧＷにより前記ＵＥのすべてのベアラの状態を「中断」に設定するステップ、
を含む請求項７に記載の方法。
【請求項１０】
前記ＰＳネットワークの前記モビリティ管理ネットワーク構成要素により、前記保持されたベアラを中断し、かつ前記保持されていないベアラを削除するよう前記ＳＧＷに指示する前記ステップは、
前記ＰＳネットワークの前記モビリティ管理ネットワーク構成要素により、前記ベアラの状態だけでなく、中断されるべきベアラのＩＤおよび削除されるべきベアラのＩＤを含み、中断されるべき前記ベアラの前記状態が「中断」に設定され、削除されるべき前記ベアラの前記状態が「削除」に設定されるベアラ更新要求メッセージを、前記ＳＧＷに送信するステップ、または
前記ＰＳネットワークの前記モビリティ管理ネットワーク構成要素により、中断されるべきベアラのＩＤからなる中断リスト、および削除されるべきベアラのＩＤからなる削除リストを含むベアラ更新要求メッセージを、前記ＳＧＷに送信するステップ、または
前記ＰＳネットワークの前記モビリティ管理ネットワーク構成要素により、中断されるべきベアラのＩＤからなる中断リスト、および削除されるべきベアラのＩＤからなる削除リストを含むベアラ中断要求メッセージを、前記ＳＧＷに送信するステップ、または
前記ＰＳネットワークの前記モビリティ管理ネットワーク構成要素により、前記ＵＥのＩＤ、および削除されるべきベアラのＩＤからなる削除リストを含むベアラ中断要求メッセージを前記ＳＧＷに送信するステップ、
を含む請求項８に記載の方法。
【請求項１１】
パケット交換（ＰＳ）ネットワークのモビリティ管理ネットワーク構成要素（１０１）と、前記ＰＳネットワークのアクセスネットワーク（１０３）とを含む通信システムであって、ユーザ装置（ＵＥ）が前記ＰＳネットワークから回線交換（ＣＳ）ネットワークにハンドオーバされるときに、前記ＰＳネットワークの前記アクセスネットワークは、解放要求メッセージを前記ＰＳネットワークの前記モビリティ管理ネットワーク構成要素に送信するように適合され、前記ＰＳネットワークの前記モビリティ管理ネットワーク構成要素は、前記ＰＳネットワークの前記アクセスネットワークにより送信される前記解放要求メッセージを受信し、かつ前記ＰＳネットワーク内の前記ＵＥの資源を処理するように適合されている通信システム。
【請求項１２】
前記ＰＳネットワークの前記アクセスネットワークは、前記ＰＳネットワークの前記モビリティ管理ネットワーク構成要素により送信されるハンドオフ指示メッセージを受信した後に、前記解放要求メッセージを前記ＰＳネットワークの前記モビリティ管理ネットワーク構成要素に送信する、請求項１１に記載の通信システム。
【請求項１３】
前記ＰＳネットワークの前記アクセスネットワークは、前記ＵＥにより送信される無線資源制御（ＲＲＣ）解放要求メッセージを受信した後に、前記解放要求メッセージを前記ＰＳネットワークの前記モビリティ管理ネットワーク構成要素に送信し、前記ＵＥがハンドオフ指示メッセージを受信した後に、前記ＲＲＣ解放要求メッセージが、前記ＵＥにより前記ＰＳネットワークの前記アクセスネットワークに送信される、請求項１１に記載の通信システム。
【請求項１４】
前記ＰＳネットワークの前記アクセスネットワークは、前記ＰＳネットワークの前記モビリティ管理ネットワーク構成要素に送信される前記解放要求メッセージで指示情報を運ぶようにさらに適合され、前記指示情報は、前記ＵＥを前記ＣＳネットワークにハンドオーバすることにより前記解放要求が引き起こされたことを示す、請求項１１、１２、または１３に記載の通信システム。
【請求項１５】
パケット交換（ＰＳ）ネットワーク内のモビリティ管理ネットワーク構成要素であって、受信ユニット（１２１）と、資源処理ユニット（１２３）とを含み、前記受信ユニットは、ユーザ装置（ＵＥ）が前記ＰＳネットワークから回線交換（ＣＳ）ネットワークにハンドオーバされるときに、前記ＰＳネットワークのアクセスネットワークにより送信される解放要求メッセージまたは前記ＣＳネットワークにより送信されるハンドオフ完了メッセージを受信するように適合され、前記資源処理ユニットは、前記ＰＳネットワークの前記アクセスネットワークにより送信される前記解放要求メッセージ、または前記ＣＳネットワークにより送信される前記ハンドオフ完了メッセージを前記受信ユニットが受信した後に、前記ＰＳネットワーク内の前記ＵＥの資源を処理するように適合された、
モビリティ管理ネットワーク構成要素。
【請求項１６】
前記受信ユニット（１２１）は、
前記ＵＥが前記ＰＳネットワークから前記ＣＳネットワークにハンドオーバされるときに、前記ＰＳネットワークの前記アクセスネットワークにより送信される、前記ＵＥを前記ＣＳネットワークにハンドオーバすることにより前記解放要求が引き起こされたことを示す指示情報を含む前記解放要求メッセージを、受信するように適合された第１の受信モジュール（１２１１）、ならびに
前記ＵＥが前記ＰＳネットワークから前記ＣＳネットワークにハンドオーバされるときに、前記ＣＳネットワークにより送信される前記ハンドオフ完了メッセージを受信するように適合された第２の受信モジュール（１２１３）の少なくとも１つを含み、
前記ＣＳネットワークと前記ＰＳネットワークの間のインタワーキングソリューション機能（ＩＷＳ）ネットワーク構成要素が前記ＣＳネットワークのアクセスネットワーク構成要素と統合されている場合、前記第２の受信モジュールは、前記ＣＳネットワークの前記アクセスネットワーク構成要素により送信される前記ハンドオフ完了メッセージを受信するように適合されている、または
前記ＣＳネットワークと前記ＰＳネットワークの間の前記ＩＷＳネットワーク構成要素が前記ＰＳネットワークの前記モビリティ管理ネットワーク構成要素と統合されている場合、前記第２の受信モジュールは、前記ＣＳネットワークのモビリティ管理ネットワーク構成要素により送信されるクリア指令メッセージを受信するように適合されている、または
前記ＣＳネットワークと前記ＰＳネットワークの間の前記ＩＷＳネットワーク構成要素が独立したネットワーク構成要素である場合、前記第２の受信モジュールは、前記ＩＷＳネットワーク構成要素により送信される前記ハンドオフ完了メッセージを受信するように適合されており、前記ＩＷＳネットワーク構成要素は、前記ＣＳネットワークのモビリティ管理ネットワーク構成要素により送信されるクリア指令メッセージを受信した後に、前記ハンドオフ完了メッセージを前記第２の受信モジュールに送信する、または
前記ＣＳネットワークと前記ＰＳネットワークの間の前記ＩＷＳネットワーク構成要素が前記ＣＳネットワークのモビリティ管理ネットワーク構成要素と統合されている場合、前記第２の受信モジュール（１２１３）は、前記ＣＳネットワークの前記モビリティ管理ネットワーク構成要素により送信される前記ハンドオフ完了メッセージを受信するように適合されている、
請求項１５に記載のモビリティ管理ネットワーク構成要素。
【請求項１７】
前記資源処理ユニット（１２３）は、
暗黙のユーザ分離手順を開始して、前記ＵＥを前記ＰＳネットワークから切り離すように適合された第１の資源処理モジュール（１２３１）と、
前記ＰＳネットワーク内の前記ＵＥのすべてのベアラを保持し、かつ前記ベアラを中断するようサービングゲートウェイ（ＳＧＷ）に指示するように適合された第２の資源処理モジュール（１２３３）と、
１つまたは複数のベアラ削除手順を開始して、前記種々のベアラ種別に従って、前記ベアラ種別の一部に対応するベアラを削除しその他のベアラ種別に対応するベアラを保持し、かつ前記保持されたベアラを中断するよう前記ＳＧＷに指示するように適合された第３の資源処理モジュール（１２３５）と、
前記種々のベアラ種別に従って、前記ベアラの一部を削除しベアラのその他の部分を保持し、かつ前記保持されたベアラを中断するよう前記ＳＧＷに指示するように適合された第４の資源処理モジュールと、
前記ＵＥのすべてのベアラを中断するよう前記ＳＧＷに指示し、かつ種々のベアラ種別に従って、前記ベアラの一部を保持しベアラ削除手順を開始してベアラのその他の部分を削除するように適合された第５の資源処理モジュールと、
前記ＵＥのすべてのベアラを中断するよう前記ＳＧＷに指示し、かつ前記種々のベアラ種別に従って、前記ベアラの一部を削除しベアラのその他の部分を保持するように適合された第６の資源処理モジュールと、
前記種々のベアラ種別に従って、前記ベアラの一部を削除しベアラのその他の部分を保持し、かつ前記保持されたベアラを中断し前記保持されていないベアラを削除するよう前記ＳＧＷに指示するように適合された第７の資源処理モジュール
のうちの少なくとも１つのモジュールを具体的に含む、請求項１５に記載のモビリティ管理ネットワーク構成要素。
【請求項１８】
前記資源処理ユニット（１２３）は、第１のベアラ中断モジュール（１２３７）と、第２のベアラ中断モジュール（１２３９）と、第３のベアラ中断モジュール（１２４１）と、第４のベアラ中断モジュール（１２４３）のうちの少なくとも１つのモジュールとをさらに含み、前記第２の資源処理モジュール、前記第３の資源処理モジュール、または前記第４の資源処理モジュールは、中断されるべきベアラのＩＤを前記第１のベアラ中断モジュールまたは前記第２のベアラ中断モジュールに送信する、もしくは前記第２の資源処理モジュール、前記第５の資源処理モジュール、または前記第６の資源処理モジュールは、前記ＵＥのＩＤを前記第３のベアラ中断モジュール、または前記第４のベアラ中断モジュールに送信し、
前記第１のベアラ中断モジュールは、中断されるべきベアラのＩＤを受信し、かつ中断されるべき前記ベアラの前記ＩＤおよび前記ベアラの状態を含み、前記ベアラの前記状態が「中断」に設定されたベアラ更新要求メッセージを、前記ＳＧＷに送信するように適合され、
前記第２のベアラ中断モジュールは、中断されるべき前記ベアラの前記ＩＤを受信し、かつ、中断されるべき前記ベアラの前記ＩＤを含み、前記ベアラの前記ＩＤに対応する前記ベアラの前記状態を「中断」に設定するよう前記ＳＧＷに指示するように適合されたベアラ中断要求メッセージを、前記ＳＧＷに送信するように適合され、
第３のベアラ中断モジュールは、中断されるべき前記ＵＥの前記ＩＤを受信し、かつ、前記ＵＥの前記ＩＤおよびベアラの状態を含み、前記ベアラの前記状態が「中断」に設定され、前記ＵＥのすべてのベアラの状態を「中断」に設定するよう前記ＳＧＷに指示するように適合されたベアラ更新要求メッセージを、前記ＳＧＷに送信するように適合され、
前記第４のベアラ中断モジュールは、中断されるべき前記ＵＥの前記ＩＤを受信し、かつ、前記ＵＥの前記ＩＤを含み、前記ＵＥのすべてのベアラの前記状態を「中断」に設定するよう前記ＳＧＷに指示するように適合されたベアラ中断要求メッセージを、前記ＳＧＷに送信するように適合されている、
請求項１７に記載のモビリティ管理ネットワーク構成要素。
【請求項１９】
前記第７の資源処理モジュールは、
前記ベアラの状態だけでなく、中断されるべきベアラのＩＤおよび削除されるべきベアラのＩＤ、中断されるべき前記ベアラの前記状態が「中断」に設定され、削除されるべき前記ベアラの前記状態が「削除」に設定されるベアラ更新要求メッセージを、前記ＳＧＷに送信するように適合された第１の処理サブユニットと、
中断されるべきベアラのＩＤからなる中断リスト、および中断されるべきベアラのＩＤからなる削除リストを含むベアラ更新要求メッセージを、前記ＳＧＷに送信するように適合された第２の処理サブユニットと、
中断されるべきベアラのＩＤからなる中断リスト、および削除されるべきベアラのＩＤからなる削除リストを含むベアラ中断要求メッセージを、前記ＳＧＷに送信するように適合された第３の処理サブユニットと、
前記ＵＥの前記ＩＤ、および削除されるべきベアラのＩＤからなる削除リストを運ぶベアラ中断要求メッセージを、前記ＳＧＷに送信するように適合された第４の処理サブユニットと、
のうちの少なくとも１つのサブユニットを含む、請求項１７に記載のモビリティ管理ネットワーク構成要素。
【国際調査報告】
2011504715.tif 000016
2011504715.tif 000017
2011504715.tif 000018
2011504715.tif 000019